(57)【特許請求の範囲】
【請求項１】
ユーザ機器であって、前記ユーザ機器は、
プロセッサと、
前記プロセッサに結合されたメモリと
を備え、
前記メモリには、実行可能な命令が記憶されており、前記命令は、前記プロセッサによって実行されると、
前記ユーザ機器のアップリンクを使用するデータのための第１の無線ローカルエリアネットワーク（ＷＬＡＮ）サービスの質（ＱｏＳ）ポリシーを記憶することと、
前記ユーザ機器のアップリンクを使用する前記データのための第２のＷＬＡＮ  ＱｏＳポリシーをサーバから受信することであって、前記第２のＷＬＡＮ  ＱｏＳポリシーは、信頼ＷＬＡＮアクセスネットワーク（ＴＷＡＮ）内のアクセスポイントの場所に基づく、ことと、
前記ユーザ機器のアップリンクを使用する前記データのための第３のＷＬＡＮ  ＱｏＳポリシーを決定することであって、前記第３のポリシーは、前記第１のＷＬＡＮ  ＱｏＳポリシーおよび前記第２のＷＬＡＮ  ＱｏＳポリシーのうちの少なくとも１つに基づく、ことと、
前記第３のＷＬＡＮ  ＱｏＳポリシーに基づいて、前記データを前記ＴＷＡＮに提供することと、
前記ＴＷＡＮのアクセスポイント（ＡＰ）のダウンリンクまたはアップリンクを使用するデータのために、前記第３のＷＬＡＮ  ＱｏＳポリシーを前記ＴＷＡＮに提供することと
を含む動作を前記プロセッサに行わせる、ユーザ機器。
【請求項２】
前記サーバは、アクセスネットワーク発見および選択機能（ＡＮＤＳＦ）サーバである、請求項１に記載のユーザ機器。
【請求項３】
さらなる動作が、前記サーバからの命令に基づいて前記第３のＷＬＡＮ  ＱｏＳポリシーを決定することにより、前記第１のＷＬＡＮ  ＱｏＳポリシーより前記第２のＷＬＡＮ  ＱｏＳポリシーを優先することを含む、請求項１に記載のユーザ機器。
【請求項４】
前記ユーザ機器は、ＷｉＦｉを使用して、データを前記ＴＷＡＮに伝送する、請求項１に記載のユーザ機器。
【請求項５】
前記第２のＷＬＡＮ  ＱｏＳポリシーは、前記ユーザ機器のタイプにさらに基づく、請求項１に記載のユーザ機器。
【請求項６】
さらなる動作が、前記第３のＷＬＡＮ  ＱｏＳポリシーを決定することに応答して、前記ＴＷＡＮに提供される前記データのためのＱｏＳマッピングに従って、アップリンク８０２．１１ｅ媒体アクセス制御マーキングを設定することを含む、請求項１に記載のユーザ機器。
【請求項７】
前記サーバは、アクセスネットワーク発見および選択機能（ＡＮＤＳＦ）サーバであり、
前記第３のＷＬＡＮ  ＱｏＳポリシーは、前記第２のＷＬＡＮ  ＱｏＳポリシーを含む、請求項１に記載のユーザ機器。
【請求項８】
さらなる動作が、前記ＴＷＡＮに提供される前記第３のＷＬＡＮ  ＱｏＳポリシーが、前記ＴＷＡＮのアクセスポイント（ＡＰ）のダウンリンクを使用するデータのために、前記ＴＷＡＮ内に構成されていることの確認を受信することを含む、請求項１に記載のユーザ機器。
【請求項９】
前記第３のＷＬＡＮ  ＱｏＳポリシーを前記ＴＷＡＮに提供することは、トラフィックストリーム追加要求を使用して行われる、請求項１に記載のユーザ機器。
【請求項１０】
コンピュータ実行可能な命令を含むコンピュータ読み取り可能な記憶媒体であって、前記命令は、コンピューティングデバイスによって実行されると、
ユーザ機器のアップリンクを使用するデータのための第２の無線ローカルエリアネットワーク（ＷＬＡＮ）サービスの質（ＱｏＳ）ポリシーをサーバから受信することと、
前記ユーザ機器のアップリンクを使用する前記データのための第３のＷＬＡＮ  ＱｏＳポリシーを決定することであって、前記第３のポリシーは、前記ユーザ機器のアップリンクを使用するデータのための第１のＷＬＡＮ  ＱｏＳポリシーおよび前記第２のＷＬＡＮ  ＱｏＳポリシーのうちの少なくとも１つに基づき、前記第２のＷＬＡＮ  ＱｏＳポリシーは、信頼ＷＬＡＮアクセスネットワーク（ＴＷＡＮ）内のアクセスポイントの場所に基づく、ことと、
前記第３のＷＬＡＮ  ＱｏＳポリシーに基づいて、前記データを前記ＴＷＡＮに提供することと、
前記ＴＷＡＮのアクセスポイント（ＡＰ）のダウンリンクまたはアップリンクを使用するデータのために、前記第３のＷＬＡＮ  ＱｏＳポリシーを前記ＴＷＡＮに提供することと
を含む命令を実行することを前記コンピューティングデバイスに行わせる、コンピュータ読み取り可能な記憶媒体。
【請求項１１】
前記サーバは、アクセスネットワーク発見および選択機能（ＡＮＤＳＦ）サーバである、請求項１０に記載のコンピュータ読み取り可能な記憶媒体。
【請求項１２】
さらなる動作が、前記サーバからの命令に基づいて前記第３のＷＬＡＮ  ＱｏＳポリシーを決定することにより、前記第１のＷＬＡＮ  ＱｏＳポリシーより前記第２のＷＬＡＮ  ＱｏＳポリシーを優先することを含む、請求項１０に記載のコンピュータ読み取り可能な記憶媒体。
【請求項１３】
前記ユーザ機器は、ＷｉＦｉを使用して、データを前記ＴＷＡＮに伝送する、請求項１０に記載のコンピュータ読み取り可能な記憶媒体。
【請求項１４】
前記第２のＷＬＡＮ  ＱｏＳポリシーは、前記ユーザ機器のタイプにさらに基づく、請求項１０に記載のコンピュータ読み取り可能な記憶媒体。
【請求項１５】
さらなる動作が、前記第３のＷＬＡＮ  ＱｏＳポリシーを決定することに応答して、前記ＴＷＡＮに提供される前記データのためのＱｏＳマッピングに従って、アップリンク８０２．１１ｅ媒体アクセス制御マーキングを設定することを含む、請求項１０に記載のコンピュータ読み取り可能な記憶媒体。
【請求項１６】
ユーザ機器が、前記ユーザ機器のアップリンクを使用するデータのための第２の無線ローカルエリアネットワーク（ＷＬＡＮ）サービスの質（ＱｏＳ）ポリシーをサーバから受信することと、
前記ユーザ機器が、前記ユーザ機器のアップリンクを使用する前記データのための第３のＷＬＡＮ  ＱｏＳポリシーを決定することであって、前記第３のポリシーは、前記ユーザ機器のアップリンクを使用するデータのための第１のＷＬＡＮ  ＱｏＳポリシーおよび前記第２のＷＬＡＮ  ＱｏＳポリシーのうちの少なくとも１つに基づき、前記第２のＷＬＡＮ  ＱｏＳポリシーは、信頼ＷＬＡＮアクセスネットワーク（ＴＷＡＮ）内のアクセスポイントの場所に基づく、ことと、
前記ユーザ機器が、前記第３のＷＬＡＮ  ＱｏＳポリシーに基づいて、前記データを前記ＴＷＡＮに提供することと、
前記ユーザ機器が、前記ＴＷＡＮのアクセスポイント（ＡＰ）のダウンリンクまたはアップリンクを使用するデータのために、前記第３のＷＬＡＮ  ＱｏＳポリシーを前記ＴＷＡＮに提供することと
を含む方法。
【請求項１７】
前記サーバは、アクセスネットワーク発見および選択機能（ＡＮＤＳＦ）サーバである、請求項１６に記載の方法。
【請求項１８】
さらなる動作が、前記サーバからの命令に基づいて前記第３のＷＬＡＮ  ＱｏＳポリシーを決定することにより、前記第１のＷＬＡＮ  ＱｏＳポリシーより前記第２のＷＬＡＮ  ＱｏＳポリシーを優先することを含む、請求項１６に記載の方法。
【請求項１９】
前記第２のＷＬＡＮ  ＱｏＳポリシーは、前記ユーザ機器のタイプにさらに基づく、請求項１６に記載の方法。
【請求項２０】
さらなる動作が、前記第３のＷＬＡＮ  ＱｏＳポリシーを決定することに応答して、前記ＴＷＡＮに提供される前記データのためのＱｏＳマッピングに従って、アップリンク８０２．１１ｅ媒体アクセス制御マーキングを設定することを含む、請求項１６に記載の方法。
【発明の詳細な説明】
【技術分野】
【０００１】
（関連出願の引用）
本願は、米国仮特許出願第６１／８７７，５７６号（２０１３年９月１３日出願、名称「ＭＯＢＩＬＥ  ＮＥＴＷＯＲＫ  ＯＰＥＲＡＴＯＲ  （ＭＮＯ）  ＣＯＮＴＲＯＬ  ＯＦ  ＷＩＦＩ  ＱＯＳ  ＶＩＡ  ＡＮＤＳＦ  ＥＸＴＥＮＳＩＯＮＳ」）の利益を主張し、上記出願の内容は、その全体が参照により本明細書に引用される。
【背景技術】
【０００２】
セルラーとＷｉＦｉとの相互作用のための３ＧＰＰ規格は、３ＧＰＰリリース６以降、利用可能となり、リリース８において進化し、後続リリースにおいて拡張し続けている。電気電子学会（ＩＥＥＥ）もまた、３ＧＰＰ  ＭＮＯによって動作させられるもの等、加入サービスプロバイダネットワーク（ＳＳＰＮ）における無線ローカルエリアネットワーク（ＷＬＡＮ）拡張に対処する、８０２．１１ｕ規格改訂版「外部ネットワークとの相互作用」を批准している。しかしながら、特徴展開は、これらの規格が、オペレータ提供サービスへのアクセスおよびセルラーとＷｉＦｉとの間のモビリティを有効にするにもかかわらず、限定されている。これに関する理由は、現在の解決策が、複雑すぎるか、または実装にコストがかかりすぎると認知されていることであり得る。したがって、規格は、依然として、ＭＮＯによる採用増加を促すために、より単純な費用効果的展開選択肢を用いて、より付加価値のある特徴を有効にすることを模索している。故に、「スモールセル」展開の増大、スモールセルおよびＷｉＦｉアクセスのネットワーク統合は、より重要となり、改良された解決策の必要性を動機付け得る。
【０００３】
モバイルネットワークオペレータ（ＭＮＯ）は、加入者に、セルラーおよびＷｉＦｉ技術の両方を使用して、管理されたネットワークアクセスを提供し得る。現在、そのようなＭＮＯは、典型的には、その二重モード加入者のために、インターネットベースのトラフィックをオフロードする方法のみとして、ＷｉＦｉおよびＷＬＡＮ技術を考慮する。例えば、ＭＮＯは、あるハンドセットアプリケーションを、インターネットアクセスのために利用可能であるとき（好ましくは、ＷｉＦｉホットスポット内にいる間の低モビリティシナリオにおいて）、常時、ＷｉＦｉを使用するように構成し得る。本アプローチは、そのセルラーおよびコアネットワーク上の輻輳を低減させる。
【０００４】
オペレータポリシーおよび／またはハンドセット実装は、それが無停止様式において行われることができるまで、例えば、アイドル期間の間、またはユーザが、電子メールを読むための一時停止等他のアクティビティに関与している間、いくつかのサービスに対してオフロードを延期させ得る。ＭＮＯは、典型的には、加入者にオフロードＷｉＦｉトラフィックの「ベストエフォート」サービスを提供する。
【発明の概要】
【課題を解決するための手段】
【０００５】
本明細書に開示されるのは、アクセスネットワーク発見および選択機能拡張による、ＷｉＦｉサービスの質のための方法、デバイス、およびシステムである。アクセスネットワーク発見および選択機能（ＡＮＤＳＦ）ポリシーは、ＡＮＤＳＦベースのＱｏＳを作成するために、無線ローカルエリアネットワークサービスの質（Ｑｏｓ）パラメータを含むように拡張される。これは、ユーザ機器によって、オフロードまたは進化型パケットコアルーティングＷｉＦｉトラフィックのためのアップリンク８０２．１１ｅユーザ優先度（ＵＰ）を設定するために使用され得る。
【０００６】
ある実施形態では、ユーザ機器は、プロセッサと、プロセッサと連結されているメモリとを備え得る。メモリは、その上に記憶される実行可能命令を有し得、命令は、プロセッサによって実行されると、プロセッサに、ユーザ機器のアップリンクを使用するデータのための第１の無線ローカルエリアネットワーク（ＷＬＡＮ）サービスの質（ＱｏＳ）ポリシーを記憶することと、ユーザ機器のアップリンクを使用するデータのための第２のＷＬＡＮ  ＱｏＳポリシーをサーバから受信することと、ユーザ機器のアップリンクを使用するデータのための第３のＷＬＡＮ  ＱｏＳポリシーを決定することであって、第３のポリシーは、第１のＷＬＡＮ  ＱｏＳポリシーおよび第２のＷＬＡＮ  ＱｏＳポリシーのうちの少なくとも１つに基づく、ことと、第３のＷＬＡＮ  ＱｏＳポリシーに基づいて、データを信頼ＷＬＡＮアクセスネットワーク（ＴＷＡＮ）に提供することとを含む動作を達成させる。
【０００７】
本概要は、発明を実施するための形態において以下でさらに説明される、簡略化形態の概念の選択を導入するように提供される。本概要は、請求された主題の主要な特徴または不可欠な特徴を識別することを目的としておらず、また、請求された主題の範囲を限定するために使用されることも目的としていない。さらに、請求された主題は、本開示の任意の部分で記述されるいずれかまたは全ての不利を解決する制限に制約されない。
本発明はさらに、例えば、以下を提供する。
（項目１）
ユーザ機器であって、
プロセッサと、
前記プロセッサと連結されているメモリと
を備え、
前記メモリは、実行可能命令を記憶しており、前記命令は、前記プロセッサによって実行されると、
前記ユーザ機器のアップリンクを使用するデータのための第１の無線ローカルエリアネットワーク（ＷＬＡＮ）サービスの質（ＱｏＳ）ポリシーを記憶することと、
前記ユーザ機器のアップリンクを使用する前記データのための第２のＷＬＡＮ  ＱｏＳポリシーをサーバから受信することと、
前記ユーザ機器のアップリンクを使用する前記データのための第３のＷＬＡＮ  ＱｏＳポリシーを決定することであって、前記第３のポリシーは、前記第１のＷＬＡＮ  ＱｏＳポリシーおよび前記第２のＷＬＡＮ  ＱｏＳポリシーのうちの少なくとも１つに基づく、ことと、
前記第３のＷＬＡＮ  ＱｏＳポリシーに基づいて、前記データを信頼ＷＬＡＮアクセスネットワーク（ＴＷＡＮ）に提供することと
を含む動作を前記プロセッサに達成させる、ユーザ機器。
（項目２）
前記サーバは、アクセスネットワーク発見および選択機能（ＡＮＤＳＦ）サーバである、項目１に記載のユーザ機器。
（項目３）
さらなる動作が、前記サーバからの命令に基づいて前記第３のＷＬＡＮ  ＱｏＳポリシーを決定し、前記第１のＷＬＡＮ  ＱｏＳポリシーより前記第２のＷＬＡＮ  ＱｏＳポリシーを優先することを含む、項目１に記載のユーザ機器。
（項目４）
前記ユーザ機器は、ＷｉＦｉを使用して、データを前記ＴＷＡＮに伝送する、項目１に記載のユーザ機器。
（項目５）
前記第２のＷＬＡＮ  ＱｏＳは、前記ユーザ機器のタイプに基づく、項目１に記載のユーザ機器。
（項目６）
前記第２のＷＬＡＮ  ＱｏＳは、前記ＴＷＡＮ内のアクセスポイントの場所に基づく、項目１に記載のユーザ機器。
（項目７）
さらなる動作が、前記第３のＷＬＡＮ  ＱｏＳポリシーを決定することに応答して、前記ＴＷＡＮに提供される前記データのためのＱｏＳマッピングに従って、アップリンク８０２．１１ｅ媒体アクセス制御マーキングを設定することを含む、項目１に記載のユーザ機器。
（項目８）
さらなる動作が、前記ＴＷＡＮのアクセスポイント（ＡＰ）のダウンリンクを使用するデータのために、前記第３のＷＬＡＮ  ＱｏＳポリシーを前記ＴＷＡＮに提供することを含む、項目１に記載のユーザ機器。
（項目９）
前記サーバは、アクセスネットワーク発見および選択機能（ＡＮＤＳＦ）サーバであり、前記第３のＷＬＡＮ  ＱｏＳポリシーは、前記第２のＷＬＡＮ  ＱｏＳポリシーを備えている、項目８に記載のユーザ機器。
（項目１０）
さらなる動作が、前記ＴＷＡＮに提供される前記第３のＷＬＡＮ  ＱｏＳポリシーが、前記ＴＷＡＮのアクセスポイント（ＡＰ）のダウンリンクを使用するデータのために、前記ＴＷＡＮ内に構成されることの確認を受信することを含む、項目８に記載のユーザ機器。
（項目１１）
前記第３のＷＬＡＮ  ＱｏＳポリシーを前記ＴＷＡＮに提供することは、トラフィックストリーム追加要求を使用して行われる、項目８に記載のユーザ機器。
（項目１２）
コンピュータ実行可能命令を備えているコンピュータ読み取り可能な記憶媒体であって、前記命令は、コンピューティングデバイスによって実行されると、
ユーザ機器のアップリンクを使用するデータのために、第２の無線ローカルエリアネットワーク（ＷＬＡＮ）サービスの質（ＱｏＳ）ポリシーをサーバから受信することと、
前記ユーザ機器のアップリンクを使用する前記データのための第３のＷＬＡＮ  ＱｏＳポリシーを決定することであって、前記第３のポリシーは、前記ユーザ機器のアップリンクを使用するデータのための第１のＷＬＡＮ  ＱｏＳポリシーおよび前記第２のＷＬＡＮ  ＱｏＳポリシーのうちの少なくとも１つに基づく、ことと、
前記第３のＷＬＡＮ  ＱｏＳポリシーに基づいて、前記データを信頼ＷＬＡＮアクセスネットワーク（ＴＷＡＮ）に提供することと
を含む前記命令を前記コンピューティングデバイスに行わせる、コンピュータ読み取り可能な記憶媒体。
（項目１３）
前記サーバは、アクセスネットワーク発見および選択機能（ＡＮＤＳＦ）サーバである、項目１２に記載のコンピュータ読み取り可能な記憶媒体。
（項目１４）
さらなる動作が、前記サーバからの命令に基づいて前記第３のＷＬＡＮ  ＱｏＳポリシーを決定し、前記第１のＷＬＡＮ  ＱｏＳポリシーより前記第２のＷＬＡＮ  ＱｏＳポリシーを優先することを含む、項目１２に記載のコンピュータ読み取り可能な記憶媒体。
（項目１５）
前記ユーザ機器は、ＷｉＦｉを使用して、データを前記ＴＷＡＮに伝送する、項目１２に記載のコンピュータ読み取り可能な記憶媒体。
（項目１６）
前記第２のＷＬＡＮ  ＱｏＳは、前記ユーザ機器のタイプに基づく、項目１２に記載のコンピュータ読み取り可能な記憶媒体。
（項目１７）
前記第２のＷＬＡＮ  ＱｏＳは、前記ＴＷＡＮ内のアクセスポイントの場所に基づく、項目１２に記載のコンピュータ読み取り可能な記憶媒体。
（項目１８）
さらなる動作が、前記第３のＷＬＡＮ  ＱｏＳポリシーを決定することに応答して、前記ＴＷＡＮに提供される前記データのためのＱｏＳマッピングに従って、アップリンク８０２．１１ｅ媒体アクセス制御マーキングを設定することを含む、項目１２に記載のコンピュータ読み取り可能な記憶媒体。
（項目１９）
さらなる動作が、前記ＴＷＡＮのアクセスポイント（ＡＰ）のダウンリンクを使用するデータのために、前記第３のＷＬＡＮ  ＱｏＳポリシーを前記ＴＷＡＮに提供することを含む、項目１２に記載のコンピュータ読み取り可能な記憶媒体。
（項目２０）
アクセスネットワーク発見および選択機能サーバであって、
プロセッサと、
前記プロセッサと連結されているメモリと
を備え、
前記メモリは、実行可能命令を記憶しており、前記命令は、前記プロセッサによって実行されると、
ユーザ機器のアップリンクを使用するデータのための第１の無線ローカルエリアネットワーク（ＷＬＡＮ）サービスの質（ＱｏＳ）ポリシーを記憶することと、
前記ユーザ機器のアップリンクを使用する前記データのための第２のＷＬＡＮ  ＱｏＳポリシーをサーバから受信することと、
前記ユーザ機器のアップリンクを使用する前記データのための第３のＷＬＡＮ  ＱｏＳポリシーを決定することであって、前記第３のポリシーは、前記第１のＷＬＡＮ  ＱｏＳポリシーおよび前記第２のＷＬＡＮ  ＱｏＳポリシーのうちの少なくとも１つに基づく、ことと、
前記ユーザ機器のアップリンクを使用するデータに対して前記ユーザ機器が使用するために、前記第３のＷＬＡＮ  ＱｏＳポリシーを前記ユーザ機器に提供することと
を含む動作を前記プロセッサに達成させる、アクセスネットワーク発見および選択機能サーバ。
【図面の簡単な説明】
【０００８】
より詳細な理解は、付随の図面と併せて、一例として与えられる、以下の説明から得られ得る。
【図１】図１は、進化型パケットコア（ＥＰＣ）への信頼無線ローカルエリアネットワーク（ＷＬＡＮ）アクセスのためのアーキテクチャを図示する。
【図２】図２は、システム間モビリティポリシー（ＩＳＭＰ）のための例示的アクセスネットワーク発見および選択機能（ＡＮＤＳＦ）管理オブジェクト（ＭＯ）を図示する。
【図３】図３は、非シームレスＷＬＡＮオフロード（ＮＳＷＯ）のための例示的ＡＮＤＳＦ  ＭＯを図示する。
【図４】図４は、システム間ルーティングポリシー（ＩＳＲＰ）ＩＦＯＭおよびフローベースのシームレスＷＬＡＮオフロードのための例示的ＡＮＤＳＦ  ＭＯを図示する。
【図５】図５は、サービスベースのマルチアクセスＰＤＮ接続（ＭＡＰＣＯＮ）のための例示的ＡＮＤＳＦ  ＭＯを図示する。
【図６】図６は、ＡＮＤＳＦポリシーに基づいたＮＳＷＯのためのＷＬＡＮ  ＱｏＳの例示的ＭＮＯ制御を図示する。
【図７】図７は、デフォルトおよび専用ベアラを介するＷＬＡＮ  ＱｏＳの例示的ＭＮＯ制御を図示する。
【図８Ａ】図８Ａは、１つ以上の開示される実施形態が実装され得る、信頼無線ローカルエリアネットワーク（ＷＬＡＮ）アクセスおよびＬＴＥ／進化型パケットコア（ＥＰＣ）のための例示的アーキテクチャを図示する。
【図８Ｂ】図８Ｂは、図８Ａに例証される通信システム内で使用され得る、例示的ユーザ機器または他のデバイスの系統図である。
【図８Ｃ】図８Ｃは、図８Ａの通信システムの側面が実施され得る、例示的コンピューティングシステムのブロック図である。
【発明を実施するための形態】
【０００９】
統合スモールセルおよびＷｉＦｉ（ＩＳＷ）ネットワークは、許可スペクトル内のスモールセルとともに、無許可スペクトル内のＷｉＦｉアクセスポイントを伴って展開されるものである。モバイルネットワークオペレータ（ＭＮＯ）は、費用効果的統合および相互作用を通してそのセルラーおよびコアネットワークを補完するようなやり方で、「キャリアグレード」ＷｉＦｉの組み込みを開始している。これは、種々のネットワークアーキテクチャ、加入者サービス選択肢、およびポリシー管理機構の発展を促し得る。
【００１０】
ＩＳＷネットワーク要件は、ＷｉＦｉによるインターネットトラフィックオフロード、セルラーとＷｉＦｉとの間のサービス継続性、簡略化されたネットワーク展開および管理（例えば、セルラーおよびＷｉＦｉプロビジョニング機構および自己編成ネットワーク（ＳＯＮ）拡張の統合により）、およびポリシーベースのマルチアクセストラフィック管理の拡張（例えば、セルラーおよびＷｉＦｉアクセス技術にわたる動的トラフィック操向およびＱｏＳのローカル強化により）のためのより低コストの代替に対処することが期待される。
【００１１】
本明細書に開示されるのは、アクセスネットワーク発見および選択機能（ＡＮＤＳＦ）によるＷＬＡＮ  ＱｏＳのＭＮＯ制御のための解決策である。ＭＮＯが、キャリアＷｉＦｉを展開する場合、ＭＮＯが、ＷｉＦｉを介する異なるレベルのＱｏＳによる付加価値サービスをもたらし得るように、アクセスポイント（Ａｐ）および加入者ハンドセットが、少なくともいくつかの８０２．１１．ｅまたはＷｉＦｉアライアンス（ＷＦＡ）無線マルチメディア（ＷＭＭ）ＱｏＳ特徴をサポートすることが所望され得る。アップリンクデータ（ＵＥからのＷｉＦｉ伝送）に対して、機構が、３ＧＰＰ  ＡＮＤＳＦサーバ等の進化型パケットコア（ＥＰＣ）ノードから、オペレータ規定ＱｏＳポリシーをユーザ機器（ＵＥ）に直接提供するために、定義されることができる。ＵＥはまた、これらのＭＮＯポリシーを使用して、無線ローカルエリアネットワーク（ＷＬＡＮ）ＡＰからの特定のダウンリンクトラフィックストリームのために規定されたＱｏＳレベルを要求し得る。
【００１２】
さらなる文脈を与えるために、以下に論じられるのは、３ＧＰＰに関連付けられたＷＬＡＮ  ＱｏＳおよびＷＬＡＮのための関連ＷｉＦｉ規格である。３ＧＰＰは、セルラーアクセスおよびコアネットワークにわたる種々のレベルのＱｏＳのための制御機構を規定している。本明細書に詳述されるように、これらの能力は、セルラーアクセスネットワークに同様に適用され得るＭＮＯ要件に基づいて、ＷＬＡＮ  ＱｏＳの区別を含むように拡張される。
【００１３】
ＷｉＦｉは、無許可スペクトルによる、モバイルセッション継続性を含む、ＭＮＯ付加価値パケットデータサービスの安価な送達のために使用され得る。オフロードが行われる方法および場所に応じて、オフロードＷｉＦｉトラフィックのためのより優れたＱｏＳを送達するために、調整が行われ得る。例えば、ＷＬＡＮは、ＩＥＥＥ８０２．１１．ｅに基づくＷＭＭ規格を使用して、ＱｏＳ区別をサポートし得る。ＩＥＥＥ８０２．１１．ｅは、改訂版８：媒体アクセス制御（ＭＡＣ）サービスの質向上を指す。ＷＭＭ  ＡＰＩを使用したアプリケーションは、音声、ビデオ、ベストエフォート、またはバックグラウンドに関するアクセスカテゴリ（ＡＣ）にマップされたユーザ優先度（ＵＰ）に従って、８０２．１１．ｅ  ＭＡＣフレームを優先順序付けすることができる。４つのＡＣキューは、より高い優先度フレームが、統計的に、より低い優先度フレームより短い待ち時間で伝送されることを可能にする。
【００１４】
図１は、ＥＰＣと接続された信頼ＷＬＡＮアクセスネットワーク（ＴＷＡＮ）のための簡略化されたアーキテクチャを図示する。ＴＷＡＮに関するさらなる詳細は、図８Ａから図８Ｃに関して論じられる。ＴＳ２３．４０２のセクション１６．１．１によると、ＷＬＡＮが、オペレータによって信頼と見なされると、ＴＷＡＮ１０１は、複数の方法において、ＥＰＣ１１９とインターフェースをとる。ＴＷＡＮ１０１は、ＳＴａインターフェース１０４によって、３ＧＰＰ  ＡＡＡサーバ１０７との認証プロシージャのために、ＥＰＣ１１９とインターフェースをとり得る。ＳＴａインターフェース１０４は、アクセス認証、承認、モビリティパラメータ、および課金関連情報をセキュアにトランスポートする。加えて、ＴＷＡＮ１０１は、パケットデータネットワーク（ＰＤＮ）ゲートウェイ（ＰＧＷ）１０８とのベアラ管理プロシージャのために、Ｓ２ａインターフェース１０６によって、ＥＰＣ１１９とインターフェースをとり得る。ＡＮＤＳＦサーバ１１４は、ＥＰＣ１１９内に位置し、通信可能に接続されるＰＧＷ１０８を経由して、ＵＥ１０２と通信し得る。ＡＮＤＳＦサーバ１１４は、ｓ１４インターフェース１００を使用して、ＵＥ１０２と通信し得る。ＡＮＤＳＦサーバ１１４が、プッシュを開始し、その情報をＵＥ１０２に配信し得るか、またはＵＥ１０２が、ＡＮＤＳＦサーバ１１４にクエリを行い、所望の情報をプルし得る。
【００１５】
ＴＳ２３．４０２は、ＴＷＡＮ１０１内の詳細な機能分割を３ＧＰＰの範囲外として見なす。ＳＷｗインターフェース１０５、Ｓ２ａインターフェース１０６、およびＳＴａインターフェース１０４によってエクスポージャされる外部挙動は、３ＧＰＰの範囲内と見なされる。なお、ＷＬＡＮ  ＡＮ１１３、信頼ＷＬＡＮアクセスゲートウェイ（ＴＷＡＧ）１１７、および信頼ＷＬＡＮ  ＡＡＡプロキシ（ＴＷＡＰ）１１５等の機能は、ＴＷＡＮ１０１の範囲内と仮定される。ＷＬＡＮ  ＡＮ１１３は、１つ以上のＷＬＡＮアクセスポイント（ＡＰ）から成る。ＡＰは、ＳＷｗインターフェース１０５によるＵＥのＷＬＡＮ  ＩＥＥＥ８０２．１１リンクの一端をなす。これらは、スタンドアローンＡＰ、または、例えば、ＩＥＴＦ  ＣＡＰＷＡＰ／ＤＴＬＳプロトコルを使用して、無線ＬＡＮコントローラ（ＷＬＣ）に接続されるＡＰであり得る。
【００１６】
ＴＷＡＧ１１７は、そのアクセスリンク上のＵＥ１０２のためのデフォルトＩＰルータとして作用し、ＰＧＷ１０８とのＧＴＰベースのＳ２ａインターフェース１０６の一端をなす。それは、ＵＥ１０２のためのＤＨＣＰサーバとしても作用する。ＴＷＡＧ１１７は、ＷＬＡＮ１１３内のＡＰ（図示せず）を通した２地点間リンクによるＵＥ１０２とＴＷＡＧ１１７との間でパケットを転送するためのＵＥＭＡＣアドレスアソシエーション、およびＰＧＷ１０８に向かうＵＥ１０２のためのＳ２ａ  ＧＴＰ−ｕトンネルを維持する。設定方法およびその時を含む、２地点間リンクの実装は、３ＧＰＰの範囲外である（例えば、ＷｉＦｉプロシージャは、ＷｉＦｉアライアンスおよびＩＥＥＥ８０２．１１によって定義される一方、ＷｉＦｉネットワーク発見および選択決定は、ＵＥ実装に基づく）。
【００１７】
ＴＷＡＰ１１５は、３ＧＰＰ  ＡＡＡサーバ１０７とのダイアメータベースのＳＴａインターフェース１０４の一端をなす。ＴＷＡＰ１１５は、ＷＬＡＮ  ＡＮ１１３と３ＧＰＰ  ＡＡＡサーバ１０７（または、ローミングの場合、プロキシ）との間でＡＡＡ情報を中継する。ＴＷＡＰ１１５は、ＵＥ１０２ＭＡＣアドレスとの国際モバイル加入者識別（ＩＭＳＩ）を含む、ＵＥ１０２加入データの結合を確立し、ＴＷＡＧ１１７に、層２アタッチおよびデタッチイベントを知らせることができる。コアネットワークとの「認証」プロシージャと見なされ得る、３ＧＰＰ「アタッチ」との類似が示され得る。ＴＷＡＰ１１５はまた、ＴＷＡＧ１１７に、ＩＭＳＩまたはＭＡＣ結合等のＵＥ１０２のための加入情報を提供し得る。
【００１８】
「ＧＴＰを介するＳ２ａモビリティ」（ＳａＭＯＧ）に関する３ＧＰＰリリース１１ＳＡ２作業項目は、ＰＧＷ１０８とＴＷＡＮ１０１との間のＧＰＲＳトンネリングプロトコル（ＧＴＰ）ベースのＳ２ａインターフェースを有効にすることに焦点を当てている。信頼ＷＬＡＮアクセスを介するＧＴＰベースのＳ２ａのための３ＧＰＰリリース１１アーキテクチャ、機能説明、およびプロシージャは、ＴＳ２３．４０２のセクション１６に規格化されている。トンネル管理（ＧＴＰｖ２−Ｃ）のための適用可能であるＧＴＰ制御プレーンプロトコルは、ＴＳ２９．２７４に規定されており、ＧＴＰユーザプレーンは、ＴＳ２９．２８１に規定されている。ＳａＭＯＧの焦点は、「ＥＰＣへの信頼アクセス」であり、故に、プロシージャは、ＥＰＣ１０１への「初期アタッチ」から開始する。ＬＴＥと全く同様に、初期アタッチプロシージャの正常完了は、Ｓ２ａインターフェース１０６上のＧＴＰトンネルによるコアネットワークとの「常時オン」接続を有効にする「デフォルト」ＥＰＣ１０１ベアラの確立をもたらす。ＳａＭＯＧに対して、インターネット１１１への直接オフロードは、関連しない。インターネット１１１への直接オフロードの状況では、ＥＰＣ１１９へのユーザプレーン接続が、バイパスされ、ＧＴＰトンネルが確立されないからである。ホーム加入者サーバ（ＨＳＳ）１０９または３ＧＰＰ  ＡＡＡサーバ１０７は、ＳＴａインターフェース１０４によって、Ｓ２ａインターフェース１０６または非シームレスＷＬＡＮオフロード（ＮＳＷＯ）の使用または両方によるＥＰＣ１１９へのアクセスが、加入者のために可能にされるかどうかを示し得る。
【００１９】
ＵＥ１０２は、３ＧＰＰの範囲外である、「ＴＷＡＮ特有Ｌ２プロシージャ」を使用して、ＴＷＡＮ１０１と「初期アタッチ」を開始する。ＷＬＡＮに対して、これは、ＩＥＥＥ８０２．１１プロシージャに続くＩＥＴＦ  ＥＡＰｏＬ−開始メッセージによるであろう。ＩＥＴＦ  ＥＡＰｏＬ−開始メッセージは、ＴＷＡＰ１１５を通して３ＧＰＰ  ＡＡＡサーバ１０７とのＥＡＰプロシージャを開始する。比較として、３ＧＰＰアクセスのための「初期アタッチ」の開始は、進化型ノードＢ（ｅＮＢ）とのＲＲＣ接続の確立に続き、モビリティ管理エンティティ（ＭＭＥ）との３ＧＰＰ特有非アクセス階層（ＮＡＳ）信号伝達によって行われる。
【００２０】
規格ＥＡＰベースの認証後、ＴＷＡＰ１１５は、ＴＷＡＧ１１７に、３ＧＰＰ  ＡＡＡサーバ１０７によって、ＨＳＳ加入データから読み出される、デフォルトアクセスポイント名（ＡＰＮ）を提供する。ＴＷＡＧ１１７は、次いで、ＡＰＮに関連付けられたＰＧＷ１０８を選択し、ＧＴＰ−Ｃ「セッション作成要求」をＰＧＷ１０８に送信する。本要求は、ＲＡＴタイプを「非３ＧＰＰ」として識別し、ＴＷＡＮ１０１のためのデフォルトＥＰＳベアラＱｏＳ（ＨＳＳ１０９からパスされる）およびＧＴＰトンネルエンドポイント識別子（ＴＥＩＤ）を含む。本ＱｏＳは、ＷｉＦｉリンクを含む、実際のエンドツーエンドＥＰＳベアラではなく、ＴＷＡＧ１１７とＰＧＷ１０８（Ｓ２ａインターフェース１０６）との間のＧＴＰトンネルに適用可能であり、ＷＬＡＮ無線インターフェースは、３ＧＰＰの範囲外であると見なされることに留意されたい。デフォルトベアラＱｏＳは、非保証ビットレート（非ＧＢＲ）に対するＱｏＳクラス識別子（ＱＣＩ）を含む。ＱＣＩ値は、Ｓａａｄ  Ｚ．Ａｓｉｆによる「次世代モバイル通信エコシステム：モバイル通信のための技術管理」の５７ページの表３．９からの情報を反映する、表１に示されるように、リソースタイプ（ＧＢＲまたは非ＧＢＲ）、優先度レベル、パケット遅延バジェット、およびパケットエラー損失レートを表す。
【００２１】
【表１】
0006345789.tif 000002
【００２２】
ＰＧＷ１０８は、ＰＧＷ１０８のためのデフォルトＥＰＳベアラＱｏＳ、配分されたＵＥ１０２  ＩＰアドレス、およびＴＥＩＤを含む、「セッション作成応答」をＴＷＡＧ１１７に返す。ＧＴＰ−Ｕトンネルは、現時点において、ＴＷＡＧ１１７とＰＧＷ１０８との間に存在する。本ＥＰＳベアラのためのパケットが、続いて、宛先ＴＥＩＤを含むＧＴＰｖ１−Ｕヘッダ、ＧＴＰｖ１−Ｕポート番号２１５２を識別するＵＤＰヘッダ、およびＱＣＩに対応するＤＳＣＰ値でマークされた「外側ＩＰ」ヘッダとともにカプセル化される。ＤＳＣＰマッピングは、オペレータポリシーに基づいて、確立される。
【００２３】
ＰＧＷ１０８はまた、ＧＴＰベースのＳ２ａインターフェース上で専用ベアラの作成を開始し得る。ＴＷＡＮ１０１特有のリソース配分／修正プロシージャが、専用ベアラＱｏＳをサポートするために、本ステップにおいて実行され得る。本ステップの詳細は、３ＧＰＰの範囲外である。
【００２４】
ＰＧＷ１０８はまた、ＧＴＰベースのＳ２ａベアラのためのベアラ修正プロシージャを開始し得る。本プロシージャは、アクティブデフォルトまたは専用Ｓ２ａベアラのためのＴＦＴを更新するために、または、例えば、ＨＳＳ開始加入ＱｏＳ修正プロシージャに起因して、Ｓ２ａベアラＱｏＳパラメータＱＣＩ、ＧＢＲ、ＭＢＲ、またはＡＲＰのうちの１つまたはいくつかが、修正されるとき（デフォルトＳ２ａベアラのＱＣＩまたはＡＲＰを含む）、使用される。
【００２５】
ＩＰｖ４アドレスおよび／またはＩＰｖ６プレフィックスは、新しいＰＤＮ接続が確立されると、ＵＥ１０２に配分される。例えば、ＴＷＡＧ１１７が、ＧＴＰセッション作成要求においてＩＰｖ４アドレスを要求し得、ＩＰｖ４アドレスが、ＰＧＷ１０８からのＧＴＰセッション作成応答により、ＧＴＰトンネル確立中にＴＷＡＧ１１７に送達される。ＵＥ１０２が、ＤＨＣＰｖ４によるＩＰｖ４アドレスを要求すると、ＴＷＡＧ１１７は、受信されたＩＰｖ４アドレス、サブネットマスク、デフォルトルート、ＤＮＳサーバ名等を、ＤＨＣＰｖ４信号伝達内において、ＵＥ１０２に送達する。ＵＥ１０２は、そのパケットルート決定のために、サブネットマスクおよびデフォルトゲートウェイアドレスを使用することができる。対応するプロシージャも、ＩＰｖ６のために定義される。ＮＳＷＯの場合、ＴＷＡＮ１０１は、ネットワークアドレス変換（ＮＡＴ）機能をサポートすることができ、ＵＥに、ローカルＩＰアドレスを提供することができると仮定される。
【００２６】
ＥＰＣ１１９への信頼ＷＬＡＮアクセスのために、ＰＤＮ接続サービスは、ＴＷＡＮ１０１とＰＧＷ１０８との間のＳ２ａベアラと連結される、ＵＥ１０２とＴＷＡＮ１０１との間の２地点間接続によって提供される。
【００２７】
Ｓ２ａベアラは、最低でも、デフォルトベアラを含む。デフォルトベアラが、修正されると、および／または専用ベアラが、確立されると、パケットフィルタを含むＴＦＴもまた、提供される。ＴＷＡＮ１０１は、ＰＤＮ接続のＳ２ａベアラのためにＰＧＷ１０８から受信されたＴＦＴ内のアップリンクパケットフィルタに基づいて、アップリンクパケットをハンドリングする。ダウンリンクパケットは、ＰＤＮ接続のＳ２ａベアラのためにＰＧＷ１０８内に記憶されるＴＦＴ内のダウンリンクパケットフィルタに基づいて、ＰＧＷ１０８によってハンドリングされる。
【００２８】
ＩＥＥＥ８０２．１１．ｅは、ＷＬＡＮにおけるＱｏＳ拡張を提供するための２つの機構、すなわち、ＥＤＣＡおよびＨＣＣＡを規格化している。以降、ＷｉＦｉアライアンスは、８０２．１１．ｅ  ＥＤＣＡ規格のうちのいくつかの特徴をその無線マルチメディア（ＷＭＭ）証明プログラムの中に採用している。これらの規格の使用は、限定されており、主に、ベンダ特有の企業展開（例えば、ＷＬＡＮを介する音声のため）に焦点が当てられている。典型的には、３ＧＰＰ  ＭＮＯ  ＱｏＳポリシーと相互作用するために使用されていない。
【００２９】
ＩＥＥＥ８０２．１１．ｅは、ＷＬＡＮにおけるＱｏＳ優先順位付けのためのＭＡＣ能力を含み、伝送機会（ＴＸＯＰ）は、トラフィック優先度に基づいて決定される。機構が、ＡＰにおけるハイブリッド調整機能（ＨＣＦ）を使用して、規格化されている。ＨＣＦは、１）競合ベースのチャネルアクセス（拡張分散式チャネルアクセス−ＥＤＣＡ）、および、２）制御式チャネルアクセス（ＨＣＦ制御式チャネルアクセス−ＨＣＣＡ）の両方をサポートするためので、「ハイブリッド」機能として説明され得る。ＥＤＣＡは、優先順位づけされたＣＳＭＡ／ＣＡ競合ベースのアクセス機構である。ＥＤＣＡは、ユーザ優先度（ＵＰ）を４つのアクセスカテゴリ」（ＡＣ）にマップし、より高い優先度フレームが、統計的に、より低い優先度フレームより短い待ち時間で伝導されることを可能にする。各ＡＣに対するバックオフ値が、アップリンク伝送において、基地局による使用のために、ビーコンフレームにおいて、ＱｏＳ対応ＡＰによってブロードキャストされる。ＨＣＦ制御されるチャネルアクセス（ＨＣＣＡ）は、ＡＰポーリング機構に基づく、無競合アクセス機構である。これは、理論上、媒体に関する競合を低減させ得るが、実際は、依然として、重複するサービスエリアから制御不能干渉が存在し得る。
【００３０】
ＥＤＣＡ機構は、８つの異なるユーザ優先度（ＵＰ）を４つのアクセスカテゴリ（ＡＣ）にマップすることによって、区別され、分散されたアクセスを提供する。ＡＣは、ＩＥＥＥ規格８０２．１１ＴＭ−２０１２の表９−１からの情報を反映する、以下の表２に示されるように、ＵＰから導出される。
【００３１】
【表２】
0006345789.tif 000003
【００３２】
ＵＰ値は、０〜７の範囲内であり、８０２．１Ｄユーザ優先度に関して定義された値と同一である（それによって、マッピングを簡略化する）。これらのユーザ優先度は、８０２．１Ｄ（８０２．１ｐにおいて行われた作業に基づく）を含む、以前のサービスのクラス（ＣｏＳ）規格と整合する層２データリンクフレーム優先順位付けのために確立されたものである。８０２．１Ｄ指定は、ＢＫ＝バックグラウンド、ＢＥ＝ベストエフォート、ＥＥ＝エクセレントエフォート、ＣＬ＝制御負荷、ＶＩ＝ビデオ（＜１００ｍｓ遅延）、ＶＯ＝音声（＜１０ｍｓ遅延）、およびＮＣ＝ネットワーク制御のようにリスト化される。ユーザ優先度０は、ＩＥＥＥが、ＱｏＳ機能性をオプションと見なすため、バックグラウンドＡＣの代わりに、ベストエフォートＡＣに置かれ、非ＱｏＳ基地局との後方互換性を保持する。
【００３３】
ＷｉＦｉアライアンス（ＷＦＡ）は、ＷＭＭ許可制御（ＷＭＭ−ＡＣ）と呼ばれる、そのＷｉＦｉマルチメディア（ＷＭＭ）証明プログラムを定義し、十分なリソースが利用可能である場合のみ、ＱｏＳ（例えば、ＶｏＩＰのため）を要求するデバイスが、ネットワークの中に許可されることを確実にしている。例えば、ＷＭＭクライアントは、音声等の特定のＡＣタイプのトラフィックフローを送信する前に、「トラフィック仕様」（ＴＳＰＥＣ）をＡＰへの信号伝達要求内に含むことができる。
【００３４】
ＩＥＥＥ８０２．１１ｕは、３ＧＰＰ  ＭＮＯによって管理されるもの等の「外部ネットワークとの相互作用」のための規格を定義している。８０２．１１ｕ改訂版は、ＷＬＡＮネットワーク発見および選択と、外部ネットワークからのＱｏＳマッピングと、緊急サービス（例えば、第一応答者のため）のための優先順位づけされたＷＬＡＮアクセスとのための方法について説明している。ＷｉＦｉアライアンスは、８０２．１１ｕネットワーク発見および選択のいくつかの特徴を、そのホットスポット２．０「パスポイント」証明プログラムの中に採用しており、８０２．１１ｕ  ＱｏＳ拡張は、将来的パスポイントリリースにおいて対処され得る。
【００３５】
ＱｏＳマッピングに関して、８０２．１１ｕは、加入サービスプロバイダネットワーク（ＳＳＰＮ）、およびその独自の層３エンドツーエンドパケットマーキング実践（例えば、区別化サービスコードポイント（ＤＳＣＰ）使用慣例）を有し得る他の外部ネットワークのためのＱｏＳマッピングを提供する。したがって、層３サービスレベルを共通無線サービスレベルに再マップする方法が、必要である。ＱｏＳマップは、基地局およびアクセスポイントに、８０２．１１．ｅ  ＵＰへのネットワーク層ＱｏＳパケットマーキング（例えば、区別化サービスコードポイント（ＤＳＣＰ））のマッピングを提供する。
【００３６】
ダウンリンクに対して、ＡＰにおいて、ＤＳＣＰ値が、ＥＤＣＡ  ＵＰにマップされる。非ＡＰ基地局８０２．１１（ＳＴＡ）はまた、ＴＳＰＥＣおよびＴＣＬＡＳ要素をトラフィックストリーム追加（ＡＤＤＴＳ）要求フレーム内で使用し、ＷＬＡＮ内のトラフィックストリームを設定し得る。本方法では、ＵＰは、トラフィック分類（ＴＣＬＡＳ）要素内に規定される。ＡＰによって、フレームをユーザ優先度にマップするための特定の方法を選定するために使用されるポリシーは、８０２．１１の範囲外である。
【００３７】
アップリンクに対して、非ＡＰ  ＳＴＡにおいて、外部ＱｏＳパラメータが、ＩＥＥＥ８０２．１１ＱｏＳパラメータに、例えば、ＤＳＣＰが、ＩＥＥＥ８０２．１１ＵＰに、順に、ＥＤＣＡ  ＡＣにマップされる。本マッピングは、非ＡＰ  ＳＴＡが、ＡＰへの正しいＱｏＳ要求、例えば、ＡＤＤＴＳ要求を構築し、フレームを正しい優先度で伝送するのに役立つ。規格は、全くではないにしても、ＵＥがアップリンクパケットのためのＤＳＣＰ値を設定する方法を規定しない。ＵＥ１０２は、例えば、対応するフローのための対応するダウンリンクパケット内で受信される値を使用し得る。
【００３８】
ＩＥＥＥ  Ｓｔｄ８０２．１１ＴＭ−２０１２表Ｖ−１からの情報を反映する、表３は、ホップ挙動（ＰＨＢ）毎の区別化サービス（ＤｉｆｆＳｅｒｖ）と、３ＧＰＰ  ＵＭＴＳ／ＧＰＲＳトラフィッククラスならびに８０２．１１．ｅ  ＡＣおよびＵＰのためのＤＳＣＰマッピングの実施例を示す。３ＧＰＰ  ＵＭＴＳ／ＧＰＲＳトラフィッククラスへのＤＳＣＰのマッピングは、モバイルアソシエーション（ＧＳＭＡ）ＩＲ．３４ｖ４．６のためのグローバルシステムにおいて利用可能である一方、ＩＲ．３４ｖ９．０は、進化型パケットシステム（ＥＰＳ）ＱｏＳクラス識別子（ＱＣＩ）マッピングを追加する。
【００３９】
【表３】
0006345789.tif 000004
【００４０】
表４は、ＥＰＣベースのネットワークのために構築され得、ＧＳＭＡ  ＩＲ．３４  ｖ９．０から情報を反映する。
【００４１】
【表４】
0006345789.tif 000005
【００４２】
ＩＥＴＦ  ｄｒａｆｔ−ｋａｉｐｐａｌｌｉｍａｌｉｌ−ｎｅｔｅｘｔ−ｐｍｉｐ−ｑｏｓ−ｗｉｆｉ−０１「ＷｉＦｉネットワークにおけるＰＭＩＰサービスの質のマッピング」は、以下の表５に示されるように、３ＧＰＰ  ＱＣＩ、ＤＳＣＰ、および８０２．１１．ｅアクセスカテゴリ（ＡＣ）間の推奨されるマッピングを概略する。
【００４３】
【表５】
0006345789.tif 000006
【００４４】
ＷＦＡは、ホットスポット２．０イニシアティブおよびその対応するパスポイント証明プログラムの一部として、ネットワーク発見および選択のための８０２．１１ｕの一部を採用しているが、ＱｏＳマッピング規格は、現在まで含まれていない。ホットスポット２．０は、デバイスが、Ｗｉ−Ｆｉ加入者サービスに自動的に参加することを可能にする、ＷＦＡによる公共アクセスＷｉ−Ｆｉへのアプローチを指す。
【００４５】
前述から解明されるように、従来のＱｏＳ技法の現在のギャップを前提として、特に、統合スモールセルおよびＷｉＦｉネットワークの展開増加に伴って、ＷＬＡＮ  ＱｏＳ制御のさらなる採用を可能にする調整が必要とされ得る。以下に定義されるのは、アップリンク伝送のために、またはＡＰによってハンドリングされるダウンリンクＱｏＳを要求するために、ＵＥによって適用されるべき「ＷＬＡＮ  ＱｏＳ」パラメータ（例えば、ＷｉＦｉのためのＱｏＳパラメータ）を伝達するためのＡＮＤＳＦ拡張である。以下により詳細に論じられるように、拡張は、とりわけ、ＷＬＡＮ優先順位づけアクセスのためのＡＮＤＳＦ管理オブジェクト（ＭＯ）へのＷＬＡＮ  ＱｏＳパラメータの追加を含み得る。
【００４６】
ＷＬＡＮネットワーク選択のための３ＧＰＰオペレータのポリシーが、事前構成によって、またはアクセスネットワーク発見および選択機能（ＡＮＤＳＦ）を使用して、３ＧＰＰ端末上にプロビジョニングされるであろう。ＡＮＤＳＦは、元々、マルチモードＵＥに、ＷＬＡＮ等の非３ＧＰＰアクセスネットワークの発見および選択のためのＭＮＯポリシーを提供するために定義されたものである。３ＧＰＰＴＳ２３．４０２は、ＡＮＤＳＦ機能性を定義する一方、ＴＳ２４．３１２は、ＡＮＤＳＦ管理オブジェクト（ＭＯ）をＯＭＡ−ＤＭ規格と適合性のあるＸＭＬフォーマットにおいて定義する。
【００４７】
図２は、システム間モビリティポリシー（ＩＳＭＰ）のための例示的アクセスネットワーク発見および選択機能（ＡＮＤＳＦ）管理オブジェクト（ＭＯ）を図示する。図１を参照すると、ＵＥ１０２が、１度に単一のＲＡＴ（例えば、セルラーまたはＷｉＦｉのいずれか）のみによって、ＥＰＣ１１９に接続可能である場合、ＡＮＤＳＦ  ＭＯは、図２に示されるように、システム間モビリティポリシー（ＩＳＭＰ）において識別されたＴＷＡＮ１０１の関連付けられたＡＰへのＵＥ１０２アクセスのために使用されるべきＷＬＡＮ  ＱｏＳパラメータ１４１を含むように拡張されることができる。拡張は、ＷＬＡＮ  ＱｏＳパラメータ１４１（すなわち、ＷＬＡＮ  ＱｏＳリーフ）をＩＳＭＰのためのＡＮＤＳＦノード「＜Ｘ＞／Ｐｏｌｉｃｙ／＜Ｘ＞／ＰｒｉｏｒｉｔｉｚｅｄＡｃｃｅｓｓ」に追加することから成る。加えて、この場合、関連付けられたＡＰに関するフロー毎のＷＬＡＮ  ＱｏＳ区別を随意に有効にするために、ブロック１４２のＩＳＭＰフローベースのパラメータが、「ＩＰＦｌｏｗ」ノード１４３を追加することによって含められ得る。本解決策は、ＵＥ１０２が、ＷｉＦｉ（例えば、ＴＷＡＮ１０１）のみによって全ＥＰＣ１１９サービスにアクセスするシナリオ、またはＵＥ１０２が、ＷｉＦｉ（例えば、ＴＷＡＮ１０１）によって他のインターネットサービスをオフロードしながら、セルラーのみによって全ＥＰＣ１１９サービスにアクセスするシナリオに適用され得る。ＩＰフローパラメータの実施例として、図２に示されるように、とりわけ、ＳｔａｒｔＳｏｕｒｃｅＩＰａｄｄｒｅｓｓ１４４、ＳｔａｒｔＤｅｓｔＩＰａｄｄｒｅｓｓ１４５、ＥｎｄＳｏｕｒｃｅＰｏｒｔＮｕｍｂｅｒ１４６、およびＤｏｍａｉｎＮａｍｅ１４７が挙げられ得る。
【００４８】
前述のように、図２におけるＩＳＭＰの場合、ＩＰフローノード１４３が、ＩＳＭＰのための「＜Ｘ＞／Ｐｏｌｉｃｙ／＜Ｘ＞／ＩＰＦｌｏｗ」等、特定のＩＰフローのためのＷＬＡＮ  ＱｏＳ区別を有効にするために追加され得る。＜Ｘ＞／Ｐｏｌｉｃｙ／＜Ｘ＞／ＩＰＦｌｏｗノード１４３は、ａ）発生：Ｏｎｅ（すなわち、１つのみのＩＰフローが、ＡＮＤＳＦ  ＭＯのために本明細書では規定される）、ｂ）フォーマット：ｎｏｄｅ（すなわち、本ＩＰフローは、ＡＮＤＳＦ  ＭＯ構造内にリーフを伴うノードである）、ｃ）アクセスタイプ：Ｇｅｔ、Ｒｅｐｌａｃｅ（すなわち、アクセスするための読み取り、書き込み）、およびｄ）値：Ｎ／Ａ（すなわち、いずれの値も割り当てられない）等、特定のフロー配信ルールのためのフロー説明を示す。空の＜Ｘ＞／Ｐｏｌｉｃｙ／＜Ｘ＞／ＩＰＦｌｏｗノードは、「ｍａｔｃｈ−ａｌｌ」フロー説明を示す。特定のＩＳＭＰフロー配信ルールは、ＩＳＲＰフロー説明のために定義されたものと同一内部ノードおよびリーフを使用して定義され得る。特定のＵＥは、ポリシーをＡＮＤＳＦサーバから要求することができ、その場合、ポリシーは、ＵＥ特有であることができる。加えて、＜Ｘ＞／Ｐｏｌｉｃｙ／＜Ｘ＞／ＩＰＦｌｏｗノード１４３が、空ではない場合、規定されたＷＬＡＮ  ＱｏＳは、関連付けられたフロー説明に一致するトラフィックに適用される。ＡＮＤＳＦ「ＩＰ  Ｆｌｏｗ」ノードにおいて現在規格化されているような「ＱｏＳ」リーフは、ＴｏＳ／ＤＳＣＰマーキングのみを指すことに留意されたい。その意図は、この「ＱｏＳ」リーフのＴｏＳ／ＤＳＣＰ値を使用して特定のフローを区別すること基づいて、ＡＮＤＳＦがルーティングルールを提供することを可能にすることであった。本明細書に論じられるように、関連付けられたＩＰフローのＱｏＳハンドリングとは、関係がない。
【００４９】
ＵＥ１０２が、ＥＰＣ１１９への同時セルラー（例えば、図８Ａの（Ｈ）ｅＮＢ１２１）およびＷｉＦｉ（例えば、ＴＷＡＮ１０１）接続が可能である場合、ＡＮＤＳＦ  ＭＯは、図３から図５に示されるように、システム間ルーティングポリシー（ＩＳＲＰ）によってＷＬＡＮ  ＱｏＳ区別を含むように拡張されることができる。図３は、非シームレスＷＬＡＮオフロード（ＮＳＷＯ）のためのＡＮＤＳＦ  ＭＯを図示する。拡張は、ＷＬＡＮ  ＱｏＳパラメータ１５１（すなわち、ＷＬＡＮ  ＱｏＳリーフ）をＩＳＲＰ  ＮＳＷＯのためのＡＮＤＳＦノード「＜Ｘ＞／ＩＳＲＰ／＜Ｘ＞／ＦｏｒＮｏｎＳｅａｍｌｅｓｓＯｆｆｌｏａｄ／＜Ｘ＞／ＲｏｕｔｉｎｇＲｕｌｅ」に追加することから成る。図４は、ＡＮＤＳＦ  ＭＯ  ＩＳＲＰ  ＩＰフローモビリティ（ＩＦＯＭ）およびフローベースのシームレスＷＬＡＮオフロードを図示する。拡張は、ＷＬＡＮ  ＱｏＳパラメータ１５４をＩＳＲＰ  ＩＦＯＭおよびシームレスＷＬＡＮオフロードのためのＡＮＤＳＦノード「＜Ｘ＞／ＩＳＲＰ／＜Ｘ＞／ＦｏｒＦｌｏｗＢａｓｅｄ／＜Ｘ＞／ＲｏｕｔｉｎｇＲｕｌｅ」に追加することから成る。図５は、サービスベースのマルチアクセスＰＤＮ接続（ＭＡＰＣＯＮ）のためのＡＮＤＳＦ  ＭＯを図示する。拡張は、ＷＬＡＮ  ＱｏＳパラメータ１５８をＩＳＲＰ  ＭＡＰＣＯＮのためのＡＮＤＳＦノード「＜Ｘ＞／ＩＳＲＰ／＜Ｘ＞／ＦｏｒＳｅｒｖｉｃｅＢａｓｅｄ／＜Ｘ＞／ＲｏｕｔｉｎｇＲｕｌｅ」に追加することから成る。
【００５０】
ＡＮＤＳＦ拡張は、例えば、端末におけるアップリンクＷｉＦｉトラフィックのための４つのレベルの区別化ＱｏＳにつながる８つのレベルのＵＰをＭＮＯが割り当てることを可能にし、ＡＮＤＳＦ調整をサポートし得る。本明細書で論じられるのは、ダウンリンクＷＬＡＮ  ＱｏＳの設定のための選択肢である。アップリンクＡＮＤＳＦポリシーは、該当する場合、必ずしも、ダウンリンクポリシーと厳密に調整される必要はない。なお、衝突の場合の優先度の好ましい順序は、本明細書に提供される。
【００５１】
開示されるように、ＷＬＡＮ  ＱｏＳリーフは、アップリンクＩＰフローを選択されたＷＬＡＮにルーティングするとき、ＵＥによって使用されるべきＩＥＥＥ８０２．１１ｅを示し得る。これは、以下の例のように定義され得る。ａ）発生：ＺｅｒｏＯｒＯｎｅ、ｂ）フォーマット：ｉｎｔ、ｃ）アクセスタイプ：Ｇｅｔ、Ｒｅｐｌａｃｅ、および、ｄ）値：０−７．ＩＥＥＥ８０２．１１ｅは、音声、ビデオ、ベストエフォート、またはバックグラウンドとして４つのＱｏＳキューを規定するが、ＭＮＯは、「プラチナ」、「ゴールド」、「シルバー」、および「ブロンズ」サービス等、他の基準に基づいて、ＷｉＦｉ接続をこれらの値のいずれかに割り当てることができる。リーフの存在は、ＵＥに、関連付けられたＡＰが、ＷＬＡＮ  ＱｏＳ区別をサポートすることを示す。このリーフの不在は、他の方法に基づいて、例えば、アプリケーションレベル入力に基づいて、ＵＥが、どのユーザ優先度も使用することができるか、またはどれも使用することができないことを示す。
【００５２】
図６は、拡張されたＡＮＤＳＦポリシーに基づくＮＳＷＯのためのＷＬＡＮ  ＱｏＳのＭＮＯ制御のための例示的メッセージフローを図示する。ステップ１６０では、ＵＥ１０２は、アップリンクＷＬＡＮ  ＱｏＳポリシーを記憶し得る。ステップ１６０のポリシーは、セルラー、ＷｉＦｉ、またはＡＮＤＳＦサーバ１１４からの陸上通信線を経由し得るＩＰ接続によってダウンロードされているか、ＵＥ１０２のメモリ上に事前に構成されるか、または別様に、ＵＥ１０２上にプロビジョニングされ得る。ステップ１６１では、ＡＮＤＳＦサーバ１１４は、ＵＥ１０２によるアップリンクトラフィックハンドリングのためのＷＬＡＮ  ＱｏＳオフロード選好を交換し得る。ＷＬＡＮ  ＱｏＳオフロード選好が、ＵＥ１０２とＡＮＤＳＦサーバ１１４との間で異なる場合、ＵＥ１０２およびＡＮＤＳＦサーバ１１４は、使用され得る選好を決定し得る。決定は、ＡＮＤＳＦサーバ１１４および事前に構成されるＵＥ１０２ポリシーの混合を組み込むネゴシエーションであり得る。例えば、ＭＮＯ（または、ＵＥ）は、ＵＥ１０２ポリシーまたはＡＮＤＳＦサーバ１１４ポリシーにおいて明示的に考慮されていない、特定のタイプのアプリケーション（例えば、文書処理アプリケーション）トラフィックのための追加のポリシーを追加し得る。決定は、ＭＮＯ（ＡＮＤＳＦサーバ１１４）の選好に対してデフォルトであり得るか、または、決定は、ＵＥ１０２の選好に対してデフォルトであり得るか、または決定は、両方の混合であり得る。ＳＷｗ無線通信インターフェース１０５を介するアップリンクデータに対して、ＵＥ１０２は、事前に構成された、または本明細書に説明されるように、ＡＮＤＳＦ拡張に関するＡＮＤＳＦ機構によって信号伝達されるようなオペレータポリシーに従って、トラフィックフローのための８０２．１１ｅ  ＵＰを設定し得る。異なるポリシー（例えば、規定されたパケットフィルタと調和するフローベースのポリシーによる）が、アップリンクフローの区別をハンドリングするために使用され得る。
【００５３】
ステップ１６２では、ＴＷＡＮ１０１は、ＯＡＭサーバ（図示せず）によって更新され得るダウンリンクＷＬＡＮ  ＱｏＳポリシーを記憶し得る。ステップ１６３では、ＵＥ１０２は、８０２．１１通信によってＴＷＡＮ１０１にアタッチし得る。図６に関して論じられるようなポリシーは、トラフィックが、ＥＰＣ１１９からオフロードされているかどうか、または、トラフィックがデフォルトまたは専用ベアラによってＥＰＣ１１９にルーティングされるかどうかにかかわらず、ＷＬＡＮ  ＡＮ１１３内のＡＰ（図示せず）ごと、または所与のＡＰに対するＩＰフロー毎であり得る。ＷＬＡＮ  ＱｏＳポリシーは、ＡＰに対して、またはＡＰのＩＰフローに対して定義され得る。これらのポリシーは、必ずしも、ＵＥ１０２加入者ベースではなく、概して、規定されたＷＬＡＮ  ＡＮを使用して、全加入者に提供され得る。加えて、ポリシーは、ＡＰの場所、ＡＰの所有者（例えば、所有者は、特定のサービス契約を有する）、ＡＰのタイプ等に基づき得る。ＡＮＤＳＦサーバ１１４は、一般的な非ＵＥ特有のＱｏＳポリシーを提供し得るか、または、ＡＮＤＳＦサーバ１１４は、ＵＥ１０２がポリシーをＡＮＤＳＦサーバ１１４から要求する場合、ＵＥ１０２によって提供される識別に基づいて加入者特有のＱｏＳポリシーを提供し得る。異なるトラフィックオフロードポリシーが、異なる加入者（例えば、異なるネットワークオペレータ）のために適用され得る。異なるアップリンクポリシーが、異なるタイプ（例えば、モデル）のＵＥのために適用され得る。
【００５４】
ステップ１６４では、ＵＥ１０２、ＴＷＡＮ１０１、３ＧＰＰ  ＡＡＡサーバ１０７、およびＨＳＳ１０９は、ネットワーク上への認証のプロセスを通過し得る。ステップ１６６では、ＵＥ１０２は、アプリケーション要件またはＵＥのステータスもしくは能力に基づき得る、ＷｉＦｉトラフィックのためのダウンリンクＷＬＡＮ  ＱｏＳに対する要求を生成し得る。ステップ１６７では、ＵＥ１０２は、ＴＷＡＮ１０１に、ステップ１６６の要素に関連付けられるような８０２．１１ｅ  ＡＤＤＴＳ要求を送信し得る。ステップ１６７のＡＤＤＴＳ要求は、トラフィック仕様のためのＴＳＰＥＣおよびトラフィック分類のためのＴＣＬＡＳを含み得る。ＴＣＬＡＳは、ユーザ機器の優先度を規定し得る。ここでは、ＴＳＰＥＣは、８０２．１１無線クライアント（例えば、ＵＥ１０２）が、そのトラフィック要件をＡＰに信号伝達することを可能にする。ＵＥ１０２からのＴＳＰＥＣは、とりわけ、データレート、パケットサイズ、ストリーム数を含み得る。ステップ１６８では、ステップ１６７のＡＤＤＴＳ要求に基づいて、ＴＷＡＮ１０１は、該当する場合、ローカルポリシーをチェックし、ダウンリンクＱｏＳのためのＵＥ１０２のＡＤＤＴＳ要求が許可されるべきかどうかを決定し得る。ステップ１６９では、ＴＷＡＮ１０１は、ＵＥ１０２に、ステップ１６７の要求を許可または拒否し、ＴＳＰＥＣおよびＴＣＬＡＳを含み得る、８０２．１１ｅ  ＡＤＤＴＳ応答を送信する。ＳＷｗインターフェース１０５を介するダウンリンクデータに対して、ダウンリンクＷＬＡＮ  ＱｏＳポリシー（例えば、規定されたパケットフィルタと調和するフローベースのポリシーによる）が、ダウンリンクフローの区別をハンドリングするために使用され得る。ＴＷＡＮ１０１はまた、ＴＳＰＥＣ要素によって、またはフローベースのＱｏＳの場合、ＴＣＬＡＳ要素によって、ＵＥからの８０２．１１ｅ  ＡＤＤＴＳ要求フレーム内に規定される場合、ＵＰを設定し得る。
【００５５】
ステップ１７０では、ＴＷＡＮ１０１は、オフロードトラフィックのために、ＱｏＳマッピングに従って、ダウンリンク８０２．１１ｅ  ＭＡＣマーキングを設定し得る。ステップ１７１では、ＵＥ１０２は、オフロードトラフィックのために、ＱｏＳマッピングに従って、アップリンク８０２．１１ｅ  ＭＡＣマーキングを設定し得る。本明細書で論じられる殆どのステップは、必ずしも、提示される順序で行われるわけではない。例えば、ステップ１７１は、アップリンクおよびダウンリンクが調整されるので、ステップ１６９に応答して、実行され得るか、またはステップ１７１は、ダウンリンクトラフィックのためのＱｏＳの設定前であり得る、ステップ１６９の前（例えば、ステップ１６４の後）に完了され得る。オペレータは、とりわけ、全オフロードＵＥ１０２トラフィックフローのための単一またはグローバルＷＬＡＮ  ＱｏＳレベルの定義、または特定のオフロードＵＥトラフィックフローのための異なるＷＬＡＮ  ＱｏＳレベルの定義等、異なる方法において、オフロードＷｉＦｉトラフィックのＱｏＳに影響を及ぼし得る。トラフィックのオフロードは、ＴＷＡＮ１０１のＴＷＡＧ１１７によってハンドリングされ得る。ＴＷＡＧ１１７は、ローカルゲートウェイのように作用し、データを、直接、インターネットまたはローカルネットワーク１１１へまたはそこからルーティングし、ＰＧＷ１０８へのＳ２ａインターフェース１０６をバイパスし得る。ＴＷＡＧ１１７は、ＩＰアドレスをＵＥ１０２に割り当て得、オフロードトラフィックのためのＮＡＴ機能性を含み得る。
【００５６】
本明細書に論じられるように、図６に図示されるステップを行うエンティティは、図８Ｂまたは図８Ｃに図示されるもの等のデバイス、サーバ、またはコンピュータシステムのメモリ内に記憶され、そのプロセッサ上で実行する、ソフトウェア（すなわち、コンピュータ実行可能命令）の形態で実装され得る、論理的エンティティであることを理解されたい。すなわち、図６に図示される方法は、コンピューティングデバイスのプロセッサによって実行されると、図６に図示されるステップを行う、コンピュータ実行可能命令である、図８Ｃまたは図８Ｄに図示されるデバイスまたはコンピュータシステム等のコンピューティングデバイスのメモリ内に記憶される、ソフトウェア（すなわち、コンピュータ実行可能命令）の形態で実装され得る。
【００５７】
図７は、デフォルトおよび専用ベアラを介するＷＬＡＮ  ＱｏＳのＭＮＯ制御のためのフローを図示する。専用ベアラは、ＰＤＮ接続に関連付けられ、デフォルト接続によって適正にハンドリングされないこともある特定のＱｏＳ要件を示す。本明細書における調整の側面は、これらのデフォルトおよび専用ベアラ上での使用のためのＷＬＡＮ  ＱｏＳ選好を追加する。ステップ１８１では、ＡＮＤＳＦサーバ１１４は、ＵＥ１０２によるアップリンクトラフィックハンドリングのためのＷＬＡＮ  ＱｏＳオフロード選好を交換し得る。ステップ１８２では、ＴＷＡＮ１０１は、ＯＡＭサーバ（図示せず）によって更新され得るグローバルダウンリンクＷＬＡＮ  ＱｏＳポリシーを記憶し得る。ステップ１８３では、ＵＥ１０２は、８０２．１１通信によってＴＷＡＮ１０１にアタッチし得る。ステップ１８４では、ＵＥ１０２、ＴＷＡＮ１０１、３ＧＰＰ  ＡＡＡサーバ１０７、およびＨＳＳ１０９は、ネットワーク上への認証のプロセスを通過し得る。ステップ１８５では、デフォルトベアラが、確立され得る。ステップ１８６では、ＧＴＰトンネルが、確立される。ステップ１８８では、専用ベアラが、確立され得、ステップ１８９では、ＧＴＰトンネルが、確立される。ブロック１８７内のステップは、随意であり得る。ステップ１８５からステップ１８９は、ＴＷＡＮ１０１とＰＧＷ１０８との間の通信を設定する。ＴＷＡＮ１０１によるデフォルトＰＤＮ接続は、初期アタッチ（ステップ１８３であり得る）において、かつ追加のＰＤＮ接続がＵＥ１０２によって要求される度に、生じる。３ＧＰＰリリース１１は、ユーザの加入ファイル内に規定されたＡＰＮに基づいて、単一デフォルトＰＤＮ接続の確立をサポートする。３ＧＰＰリリース１２は、ＵＥ規定ＰＤＮ接続を含む、複数のＰＤＮ接続の確立をサポートする。
【００５８】
ステップ１９１では、ＵＥ１０２は、アプリケーション要件またはＵＥのステータスもしくは能力に基づき得る、オフロードトラフィックのためのダウンリンクＷＬＡＮ  ＱｏＳの要求を生成し得る。ステップ１９１では、ＵＥ１０２は、ＴＷＡＮ１０１に、ステップ１９１の生成された要求に関連付けられる、８０２．１１ｅ  ＡＤＤＴＳ要求を送信し得る。ステップ１９２のＡＤＤＴＳ要求は、ＴＳＰＥＣまたはＴＣＬＡＳを含み得る。ステップ１９３では、ステップ１９２のＡＤＤＴＳ要求に基づいて、ＴＷＡＮ１０１は、該当する場合、内部構成をチェックし、ダウンリンクＱｏＳのためのＵＥ１０２のＡＤＤＴＳ要求が許可されるべきかどうかを決定し得る。ステップ１９４では、ＴＷＡＮ１０１は、ＵＥ１０２に、ステップ１９２の要求を許可または否定し、ＴＳＰＥＣまたはＴＣＬＡＳを含み得る、８０２．１１ｅＡＤＤＴＳ応答を送信する。
【００５９】
ステップ１９５では、ＴＷＡＮ１０１は、異なるベアラ（すなわち、適用可能である場合、専用ベアラ）のために、グローバルダウンリンクＷＬＡＮ  ＱｏＳポリシーをオーバーライドし、ベアラダウンリンクＱｏＳをＤＬ８０２．１１ｅＭＡＣマーキングにマップし得る。ステップ１９７では、ＴＷＡＮ１０１は、オフロードトラフィックのために、ＱｏＳマッピングに従って、ダウンリンク８０２．１１ｅＭＡＣマーキングを設定し得る。ステップ１９６では、ＵＥ１０２は、オフロードトラフィックのために、ＱｏＳマッピングに従って、アップリンク８０２．１１ｅＭＡＣマーキングを設定し得る。オペレータは、とりわけ、全オフロードＵＥ１０２トラフィックフローまたはベアラのための単一もしくはグローバルＷＬＡＮ  ＱｏＳレベルの定義、または特定のオフロードＵＥトラフィックフローもしくはベアラのための異なるＷＬＡＮ  ＱｏＳレベルの定義等、異なる方法において、オフロードＷｉＦｉトラフィックのＱｏＳに影響を及ぼし得る。当業者は、図６および図７のステップが、必ずしも、提示される順序で行われる必要がないことを理解するであろう。図６およびその関連付けられた議論は、概して、図７およびその関連付けられた議論に適用可能であり得る。図７は、とりわけ、ＴＷＡＮ１０１が、専用ベアラ、すなわち、ベアラ特有ＱｏＳポリシーのために、ＵＥ１０２要求特有ＱｏＳポリシーを用いて、デフォルトおよび専用ベアラの両方に適用可能であるダウンリンクＱｏＳポリシーをオーバーライドし得ることを伝える。
【００６０】
本明細書に論じられるように、図７に図示されるステップを行うエンティティは、図８Ｂまたは図８Ｃに図示されるもの等のデバイス、サーバ、またはコンピュータシステムのメモリ内に記憶され、そのプロセッサ上で実行する、ソフトウェア（すなわち、コンピュータ実行可能命令）の形態で実装され得る、論理エンティティであることを理解されたい。すなわち、図７に図示される方法は、そのコンピュータ実行可能命令が、コンピューティングデバイスのプロセッサによって実行されると、図７に図示されるステップを行う、図８Ｂまたは図８Ｃに図示されるデバイスまたはコンピュータシステム等、コンピューティングデバイスのメモリ内に記憶されるソフトウェア（すなわち、コンピュータ実行可能命令）の形態で実装され得る。
【００６１】
以下に開示されるのは、ＥＰＣへのセルラーＬＴＥおよび信頼ＷＬＡＮアクセスを提供する、３ＧＰＰアーキテクチャに関するさらなる詳細である。現在の実践下では、モバイルネットワークオペレータ（ＭＮＯ）は、典型的には、そのセルラーおよびコアネットワークから「ベストエフォート」インターネットトラフィックをオフロードするために、ＷｉＦｉを採用する。しかしながら、「スモールセル」および「キャリアＷｉＦｉ」のオペレータ展開における関心増加は、ローカルセルラーおよびＷｉＦｉネットワークを横断したより優れた相互運用性を模索するようにＭＮＯを促すことが期待される。概して、「スモールセル」は、３ＧＰＰ定義セルラー無線アクセス技術（ＲＡＴ）を使用して、オペレータ許可スペクトルによって無線ネットワークアクセスを提供する、局在地理的エリアを指す。オフロードトラフィックが、本明細書で論じられるが、主に、ＷｉＦｉ通信を使用し得るデバイスが、本明細書に開示されるように、ＡＮＤＳＦを介して、ＷＬＡＮ  ＱｏＳを実践し得ることも検討される。
【００６２】
オペレータが、「キャリアＷｉＦｉ」を採用し、そのネットワークを最適化し、費用を削減するにつれて、直接、オペレータのモバイルコアネットワーク（ＭＣＮ）とインターフェースをとることができる、「信頼」ＷＬＡＮアクセスネットワーク（ＴＷＡＮ）のさらなる展開がもたらされるであろうことが期待される。同様に、ＭＮＯ展開スモールセルと、高トラフィック大都市ホットスポット場所等の共通地理的エリア内のＷｉＦｉアクセスネットワークとのさらなる統合がもたらされるであろうと期待される。そのような統合は、セルラーおよびＷｉＦｉアクセスの両方をサポートする、ますます増加するスマートフォンの数によって促される。
【００６３】
本文脈では、用語「信頼ＷＬＡＮ（ＴＷＡＮ）アクセス」は、適切な手段が、ＷＬＡＮによるアクセスからＥＰＣを保護するために講じられる状況を指す。そのような手段は、ＭＮＯの裁量に委ねられ、例えば、ＷＬＡＮとＥＰＣとの間の耐タンパファイバ接続の確立、またはＥＰＣエッジにおけるＷＬＡＮとセキュリティゲートウェイとの間のＩＰＳｅｃセキュリティアソシエーションの確立を含み得る。対照的に、ＷＬＡＮアクセスが、「非信頼」と見なされる場合、ＷＬＡＮは、ＥＰＣエッジにおいて、進化型パケットコアネットワークゲートウェイ（ＰＧＷ）とインターフェースをとり得、ｅＰＤＧは、直接、各ＵＥとＩＰＳｅｃセキュリティアソシエーションを確立し、ＷＬＡＮを通してＥＰＣにアクセスしなければならない。
【００６４】
図８Ａは、例示的通信システム１０の略図であり、１つ以上の開示される実施形態が、実装され得る。図８Ａは、セルラーＬＴＥおよび信頼ＷＬＡＮアクセスをＥＰＣ１１９に提供する、３ＧＰＰアーキテクチャを描写する。３ＧＰＰ技術仕様（ＴＳ）２３．４０２のセクション１６．１．１（その内容は、参照することによって本明細書に組み込まれる）に説明されるように、ＷＬＡＮ  ＡＮ１１３が、オペレータによって信頼されると見なされると、信頼ＷＬＡＮアクセスネットワーク（ＴＷＡＮ）１０１は、ユーザプレーントラフィックフローのためのＰＤＮゲートウェイ（ＰＧＷ）１０８に向かうＳ２ａインターフェース１０６によって、認証、承認、および会計のための３ＧＰＰ  ＡＡＡサーバ１０７に向かうＳＴａインターフェース１０４によって、進化型パケットコアネットワーク（ＥＰＣ）１１９に接続されることができる。ＴＷＡＮ１０１からローカルＩＰネットワーク１１１（すなわち、イントラネット）および／または直接インターネット１１１への代替経路もまた、示される。
【００６５】
３ＧＰＰ  ＬＴＥアクセスネットワーク１２１（すなわち、進化型ノードＢ）は、モビリティ管理エンティティ（ＭＭＥ）１２５との通信経路を提供する、Ｓ１−ＭＭＥインターフェース１２３によって、ＥＰＣ１１９に接続される。Ｓ１−Ｕインターフェース１２７は、Ｓ５インターフェース１３１によって、ＰＤＮゲートウェイ（ＰＧＷ）１０８とインターフェースをとる、サービングゲートウェイ（ＳＧＷ）１２９との通信経路を提供する。
【００６６】
「ローカルゲートウェイ」機能（Ｌ−ＧＷ）１３３は、例えば、ホームｅＮＢ（ＨｅＮＢ）展開のためのスモールセルＬＴＥアクセスを提供する。同様に、「ＨｅＮＢゲートウェイ」（ＨｅＮＢＧＷ）１３５が、ＭＭＥ１２５に向かう複数のＨｅＮＢのための制御プレーン信号伝達を集めるために使用され得、ＳＧＷ１２９に向かうＨｅＮＢユーザプレーントラフィックをハンドリングするためにも使用され得る。ＨｅＮＢ管理システム（ＨｅＭＳ）１３７は、ブロードバンドフォーラム（ＢＢＦ）によって公開され、３ＧＰＰによって採用されたＴＲ−０６９規格に基づいて、ＨｅＮＢの「プラグアンドプレイ」自動構成を提供する。セキュリティゲートウェイ（ＳｅＧＷ）１３９は、ＨｅＮＢ  ＧＷ１３５を経由して、ＥＰＣ１１９への信頼アクセスを提供する。
【００６７】
ＷＬＡＮ  ＡＮ１１３は、１つ以上のＷＬＡＮアクセスポイント（ＡＰ）を備えている。ＡＰ（図示せず）は、ＳＷｗインターフェース１５６による、ＵＥ１０２ＷＬＡＮ  ＩＥＥＥ８０２．１１リンクの一端をなす。ＡＰは、スタンドアローンＡＰとして、または、例えば、ＩＥＴＦ  ＣＡＰＷＡＰプロトコルを使用して、無線ＬＡＮコントローラ（ＷＬＣ）に接続される「シン」ＡＰとして、展開され得る。
【００６８】
ＴＷＡＧ１１７は、ＰＧＷ１０８とのＧＴＰベースのＳ２ａインターフェース１０６の一端をなし、そのＷＬＡＮアクセスリンク上でＵＥ１０２のためのデフォルトＩＰルータとして作用し得る。それは、ＵＥ１０２のためのＤＨＣＰサーバとしても作用し得る。ＴＷＡＧ１１７は、典型的には、ＵＥ１０２間でパケットを転送（ＷＬＡＮ  ＡＰによる）するためのＵＥ  ＭＡＣアドレスアソシエーション、および関連付けられたＳ２ａインターフェース１０６ＧＴＰ−Ｕトンネル（ＰＧＷ１０８による）を維持する。
【００６９】
信頼ＷＬＡＮ  ＡＡＡプロキシ（ＴＷＡＰ）１１５は、３ＧＰＰ  ＡＡＡサーバ１０７とのダイアメータベースのＳＴａインターフェース１０４の一端をなす。ＴＷＡＰ１１５は、ＷＬＡＮ  ＡＮ１１３と３ＧＰＰ  ＡＡＡサーバ１０７（または、ローミングの場合、プロキシ）との間でＡＡＡ情報を中継する。ＴＷＡＰ１１５は、ＴＷＡＧ１１７に、層２アタッチおよびデタッチイベントの発生を知らせることができる。ＴＷＡＰ１１５は、ＵＥ加入データ（ＩＭＳＩを含む）とＵＥＭＡＣアドレスの結合を確立し、そのような情報をＴＷＡＧ１１７に提供することができる。
【００７０】
既存のシステムでは、ＵＥ１０２は、３ＧＰＰおよび非３ＧＰＰＷＬＡＮアクセスの両方のために、ＵＳＩＭ特徴を活用することができる。認証およびセキュリティのための処理は、３ＧＰＰ  ＴＳ２３．４０２のセクション４．９．１に説明されており、その内容は、参照することによって、その全体として本明細書に組み込まれる。その中に説明されるように、ＷＬＡＮ  ＡＮ１１３によって行われるもの等の非３ＧＰＰアクセス認証は、アクセス制御のために使用されるプロセスを定義し、それによって、ＥＰＣ１１９と相互作用される非３ＧＰＰＩＰアクセスのリソースへの加入者のアタッチおよびその使用を許可または拒否する。非３ＧＰＰアクセス認証信号伝達は、ＵＥ１０２と３ＧＰＰ  ＡＡＡサーバ１０７とＨＳＳ１０９との間で実行される。認証信号伝達は、ＡＡＡプロキシを通過し得る。
【００７１】
信頼３ＧＰＰベースのアクセス認証は、ＳＴａインターフェース１０４を横断して実行される。３ＧＰＰベースのアクセス認証信号伝達は、ＩＥＴＦプロトコル、例えば、拡張可能認証プロトコル（ＥＡＰ）に基づく。ＳＴａインターフェース１０４およびダイアメータアプリケーションが、信頼非３ＧＰＰアクセスによるＥＰＣ１１９アクセスのために、ＵＥ１０２を認証および承認するために使用される。その内容が参照することによって全体として本明細書に組み込まれる、３ＧＰＰ  ＴＳ２９．２７３は、現在ＳＴａインターフェース１０４上でサポートされている、標準的ＴＷＡＮプロシージャを説明している。
【００７２】
ＧＴＰベースのＴＷＡＮ１０１を経由したＥＰＣ１１９アクセスに対して、ＩＰｖ４アドレスおよび／またはＩＰｖ６プレフィックスが、新しいＰＤＮ接続がＴＷＡＮ１０１を介してＥＰＣ１１９と確立されると、ＵＥ１０２に配分される。別個のＩＰアドレスもまた、ＴＷＡＮ１０１によって、ローカルネットワークトラフィックおよび／または直接インターネットオフロードのために配分され得る。
【００７３】
ＷＡＮ１０１を経由したＥＰＣ１１９を通したＰＤＮ接続に対して、ＴＷＡＮ１０１は、ＥＡＰ／ダイアメータまたはＷＬＣＰ信号伝達によって、関連ＰＤＮ情報を受信する。ＴＷＡＮ１０１は、ＧＴＰセッション作成要求によって、ＵＥ１０２のためのＩＰｖ４アドレスをＰＧＷ１０８から要求し得る。ＩＰｖ４アドレスは、ＧＴＰセッション作成応答により、ＧＴＰトンネル確立中にＴＷＡＮ１０１に送達される。ＵＥ１０２が、ＤＨＣＰｖ４によるＰＤＮ接続のためのＩＰｖ４アドレスを要求すると、ＴＷＡＮ１０１は、ＤＨＣＰｖ４信号伝達内で受信されたＩＰｖ４アドレスをＵＥ１０２に送達する。対応するプロシージャもまた、ＩＰｖ６のために定義される。
【００７４】
３ＧＰＰＬＴＥアクセスに対して、ＵＥ１０２は、ＥＰＣ１１９へのその初期アタッチの一部として、ＰＤＮ接続を自動的にトリガする。ＵＥ１０２は、続いて、必要に応じて、追加のＰＤＮ接続を確立し得る。
【００７５】
アタッチプロシージャの主要目的は、ＵＥ１０２が、加入したサービスを受信するために、ネットワークに登録を行うことである。アタッチプロシージャは、ユーザの識別を確認し、受信可能なサービスを識別し、セキュリティパラメータを確立し（例えば、データ暗号化のために）、ネットワークにＵＥ１０２初期場所（例えば、ページングされる必要がある場合）を通知する。今日のユーザによって期待される「常時オン」ネットワーク接続をサポートするために、ＬＴＥ規格は、アタッチプロシージャの一部として、デフォルトＰＤＮ接続の確立を規定する。本デフォルト接続のための無線リソースは、非活動期間中、解放され得るが、しかしながら、接続の残りは、そのままであって、エンドツーエンド接続が、ＵＥ１０２サービス要求に応答して、無線リソースを再割り当てすることによって、迅速に再確立されることができる。
【００７６】
ＵＥ１０２が、（Ｈ）ｅＮＢＬＴＥネットワーク１２１を経由してＥＰＣ１１９へのアタッチを試行する場合、最初に、（Ｈ）ｅＮＢＬＴＥネットワーク１２１とＲＲＣ接続を確立し、アタッチ要求をＲＲＣ信号伝達内にカプセル化する。（Ｈ）ｅＮＢＬＴＥネットワーク１２１は、次いで、Ｓ１−ＭＭＥインターフェース１２３上のＳ１−ＡＰ信号伝達によって、アタッチ要求をＭＭＥ１２５に転送する。ＭＭＥ１２５は、ＵＥ１０２を認証し、ＥＰＣ１１９へのアタッチを可能にするために、Ｓ６ａインターフェース１２６によって、加入情報をＨＳＳ１０９から読み出す。
【００７７】
ＵＥ１０２を正常に認証後、ＭＭＥ１２５は、ＳＧＷ１２９を選択し（例えば、（Ｈ）ｅＮＢＬＴＥネットワーク１２１への近さに基づいて）、ＰＧＷ１０８も選択する（例えば、ＨＳＳ１０９から読み出されたデフォルトＡＰＮまたはＵＥ１０２によって要求される特定のＡＰＮに基づいて）。ＭＭＥ１２５は、Ｓ１１インターフェース１２４を介して、ＳＧＷ１２９と通信し、ＰＤＮ接続の作成を要求する。ＳＧＷ１２９は、信号伝達を実行し、Ｓ５インターフェース１３１を介して、指定されるＰＧＷ１０８とのＧＴＰユーザプレーントンネルを確立する。
【００７８】
「ＧＴＰ制御」信号伝達は、ＭＭＥ１２５と（Ｈ）ｅＮＢ１２１との間のＳ１−ＡＰプロトコル内で生じる。これは、最終的には、（Ｈ）ｅＮＢ１２１とＳＧＷ１２９との間のＳ１−Ｕインターフェース１２７上のＧＴＰユーザプレーントンネルの確立につながる。ＵＥ１０２とＰＧＷ１０８との間のＰＤＮ接続のための経路は、したがって、（Ｈ）ｅＮＢ１２１およびＳＧＷ１２９を通して完成される。
【００７９】
ＵＥ１０２とＰＧＷ１０８との間のＰＤＮ接続のためのエンドツーエンド経路は、したがって、（Ｈ）ｅＮＢ１２１およびＳＧＷ１２９を通して完成される。
【００８０】
通信がＴＷＡＮ１０１を経由して行われるシステムでは、ＵＥ１０２認証およびＥＰＣ１１９アタッチは、ＵＥ１０２と３ＧＰＰ  ＡＡＡサーバ１０７との間のＥＡＰ信号伝達によって遂行される。
【００８１】
ＰＰＤＮ接続サービスは、ＴＷＡＮ１０１とＰＧＷ１０８との間のＳ２ａベアラ１０６と連結される、ＵＥ１０２とＴＷＡＮ１０１との間の２地点間接続によって提供される。ＬＴＥモデルと異なり、ＷＬＡＮ無線リソースは、ＥＰＣ観点から、「常時オン」である。言い換えると、任意の電力節約最適化が、ＷＬＡＮ内のＩＥＥＥ８０２．１１プロシージャを使用して、透過的にハンドリングされる。
【００８２】
ＵＥ１０２が、ＴＷＡＮ１０１を経由して、ＥＰＣ１１９へのアタッチを試行する場合、最初に、ＷＬＡＮ  ＡＮ１１３と層２接続を確立し、ＥＡＰメッセージをＥＡＰｏＬ信号伝達内にカプセル化する。ＷＬＡＮ  ＡＮ１１３は、ＥＡＰメッセージを、メッセージをダイアメータ信号伝達内にカプセル化するＴＷＡＰ１１５に転送し、ＳＴａインターフェース１０４によって、メッセージを３ＧＰＰ  ＡＡＡサーバ１０７に転送する。３ＧＰＰ  ＡＡＡサーバ１０７は、ＵＥ１０２を認証し、ＥＰＣ１１９へのアタッチを可能にするために、ＳＷｘインターフェース１２８によって、加入情報をＨＳＳ１０９から読み出す。
【００８３】
３ＧＰＰリリース１１に対して、３ＧＰＰ  ＡＡＡサーバ１０７はまた、ＨＳＳ１０９内に提供されるデフォルトＰＤＮへのＰＤＮ接続を確立するために、ＳＴａインターフェース１０４によって、ＴＷＡＮ１０１に情報を提供する。ＴＷＡＮ１０１は、次いで、直接ＰＧＷ１０８に向かうＳ２ａインターフェース１０６を介して、ＧＴＰ制御プレーン（ＧＴＰ−Ｃ）およびユーザプレーン（ＧＴＰ−Ｕ）プロトコルを施行し、それによって、ＴＷＡＮ１０１を通して、ＵＥ１０２とＰＧＷ１０８との間のＰＤＮ接続を完成する。
【００８４】
３ＧＰＰリリース１２に対して、ＳａＭＯＧフェーズ−２作業項目は、ＵＥ開始ＰＤＮ接続、マルチＰＤＮ接続、およびシームレスシステム間ハンドオーバのための追加のプロシージャを定義する。単一ＰＤＮ対応ＴＷＡＮシナリオの場合、ＥＡＰ拡張は、ＵＥ開始ＰＤＮ要求およびシームレスシステム間ハンドオーバ要求をサポートするように定義される。マルチＰＤＮ対応ＴＷＡＮシナリオの場合、ＷＬＡＮ制御プロトコル（ＷＬＣＰ）が、ＵＥとＴＷＡＮとの間に定義され、１つ以上のＵＥ  ＰＤＮ接続要求およびシームレスハンドオーバプロシージャを有効にする。しかしながら、別個のプロシージャが、依然として、ＵＥ認証のために、ＵＥと３ＧＰＰ  ＡＡＡサーバとの間で利用される。
【００８５】
図８Ｂは、ＵＥ１０２等の例示的ユーザ機器の系統図である。実施例として、ユーザ機器（ＵＥ）は、移動局、固定もしくはモバイル加入者ユニット、ポケベル、携帯電話、携帯情報端末（ＰＤＡ）、スマートフォン、ラップトップ、ネットブック、パーソナルコンピュータ、無線センサ、消費者電子機器等を含み得る。図８Ｂに示されるように、ＵＥ１０２は、プロセッサ３２と、送受信機３４と、伝送／受信要素３６と、スピーカ／マイクロホン３８と、キーパッド４０と、ディスプレイ／タッチパッド４２と、非取り外し可能なメモリ４４と、取り外し可能なメモリ４６と、電源４８と、全地球測位システム（ＧＰＳ）チップセット５０と、他の周辺機器５２とを含み得る。ＵＥ１０２は、実施形態と一致したままで、先述の要素の任意の副次的組み合わせを含み得ることが理解されるであろう。ＵＥ１０２は、ＡＮＤＳＦを介して、ＷＬＡＮ  ＱｏＳのための開示されるシステム、デバイス、および方法を使用するデバイスであり得る。
【００８６】
プロセッサ３２は、汎用プロセッサ、特殊アプリケーションプロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ３２は、信号符号化、データ処理、電力制御、入出力処理、および／またはＵＥ１０２が無線環境で動作することを可能にする任意の他の機能性を果たし得る。プロセッサ３２は、伝送／受信要素３６に連結され得る、送受信機３４に連結され得る。図８Ｂは、プロセッサ３２および送受信機３４を別個の構成要素として描写するが、プロセッサ３２および送受信機３４は、電子パッケージまたはチップに一緒に組み込まれ得ることが理解されるであろう。プロセッサ３２は、アプリケーション層プログラム（例えば、ブラウザ）および／または無線アクセス層（ＲＡＮ）プログラム、ならびに／もしくは通信を行い得る。プロセッサ３２は、例えば、アクセス層および／またはアプリケーション層等で、認証、セキュリティキー承諾、および／または暗号化動作等のセキュリティ動作を行い得る。
【００８７】
伝送／受信要素３６は、信号をＷＬＡＮ  ＡＮ１１３に伝送し、または（Ｈ）ｅＮＢ１２１から信号を受信するように構成され得る。例えば、実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークおよび無線インターフェースをサポートし得る。実施形態では、伝送／受信要素３６は、例えば、ＩＲ、ＵＶ、または可視光信号を伝送および／または受信するように構成されるエミッタ／検出器であり得る。さらに別の実施形態では、伝送／受信要素３６は、ＲＦおよび光信号の両方を伝送および受信するように構成され得る。伝送／受信要素３６は、無線または有線信号の任意の組み合わせを伝送および／または受信するように構成され得ることが理解されるであろう。
【００８８】
加えて、伝送／受信要素３６は、単一の要素として図８Ｂで描写されているが、ＵＥ１０２は、任意の数の伝送／受信要素３６を含み得る。より具体的には、ＵＥ１０２は、ＭＩＭＯ技術を採用し得る。したがって、実施形態では、ＵＥ１０２は、無線信号を伝送および受信するための２つ以上の伝送／受信要素３６（例えば、複数のアンテナ）を含み得る。
【００８９】
送受信機３４は、伝送／受信要素３６によって伝送される信号を変調するように、および伝送／受信要素３６によって受信される信号を復調するように構成され得る。上記のように、ＵＥ１０２は、マルチモード能力を有し得る。したがって、送受信機３４は、ＵＥ１０２が、例えば、ＵＴＲＡおよびＩＥＥＥ８０２．１１等の複数のＲＡＴを介して通信することを可能にするための複数の送受信機を含み得る。
【００９０】
プロセッサ３２は、非取り外し可能なメモリ４４および／または取り外し可能なメモリ４６等の任意のタイプの好適なメモリから情報にアクセスし、そこにデータを記憶し得る。非取り外し可能なメモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能なメモリ４６は、加入者識別モジュール（ＳＩＭ）カード、メモリスティック、セキュアデジタル（ＳＤ）メモリカード等を含み得る。他の実施形態では、プロセッサ３２は、サーバまたはホームコンピュータ上等のＵＥ１０２上に物理的に位置しないメモリから情報にアクセスし、そこにデータを記憶し得る。プロセッサ３２は、本明細書に説明される実施形態のうちのいくつかにおけるＡＮＤＳＦを介したＷＬＡＮ  ＱｏＳが成功または不成功であるかに応答して、ディスプレイまたはインジケータ４２上の照明パターン、画像、または色を制御するか、または別様に、ＱｏＳのステータスもしくはＱｏＳを実装するためのプロセスを示すように構成され得る（例えば、関連付けられたテキストを伴う図６または図７）。
【００９１】
プロセッサ３２は、電源４８から電力を受け取り得、ＵＥ１０２内の他の構成要素への電力を配信および／または制御するように構成され得る。電源４８は、ＵＥ１０２に電力供給するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【００９２】
プロセッサ３２はまた、ＵＥ１０２の現在の場所に関する場所情報（例えば、経度および緯度）を提供するように構成される、ＧＰＳチップセット５０に連結され得る。ＵＥ１０２は、実施形態と一致したままで、任意の公的な場所決定方法を介して場所情報を獲得し得ることが理解されるであろう。
【００９３】
プロセッサ３２はさらに、追加の特徴、機能性、および／または有線もしくは無線接続を提供する、１つ以上のソフトウェアおよび／またはハードウェアモジュールを含み得る、他の周辺機器５２に連結され得る。例えば、周辺機器５２は、加速度計、ｅ−コンパス、衛星送受信機、センサ、デジタルカメラ（写真またはビデオ用）、ユニバーサルシリアルバス（ＵＳＢ）ポート、振動デバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ等を含み得る。
【００９４】
図８Ｃは、例えば、図８Ａおよび図１の通信システム１０内にある、またはそれと接続される、デバイス（例えば、ＡＮＤＳＦサーバ１１４）が、実装され得る、例示的なコンピュータシステム９０のブロック図である。コンピュータシステム９０は、コンピュータまたはサーバを備え得、主に、ソフトウェアの形態であり得るコンピュータ読み取り可能な命令によって制御され得、どこでも、またはどのような手段を用いても、そのようなソフトウェアが記憶もしくはアクセスされる。そのようなコンピュータ読み取り可能な命令は、コンピュータシステム９０を起動させるように、中央処理装置（ＣＰＵ）９１内で実行され得る。多くの既知のワークステーション、サーバ、および周辺コンピュータでは、中央処理装置９１は、マイクロプロセッサと呼ばれる単一チップＣＰＵによって実装される。他のマシンでは、中央処理装置９１は、複数のプロセッサを備え得る。コプロセッサ８１は、追加の機能を果たすか、またはＣＰＵ９１を補助する、主要ＣＰＵ９１とは明確に異なる、随意的なプロセッサである。ＣＰＵ９１および／またはコプロセッサ８１は、適切なＡＮＤＳＦメッセージまたはＡＤＤＴＳ応答または要求メッセージを受信する等、ＡＮＤＳＦを介したＷＬＡＮ  ＱｏＳのための開示されるシステムおよび方法に関連するデータを受信、生成、および処理し得る。
【００９５】
動作時、ＣＰＵ９１は、命令をフェッチ、復号、および実行し、コンピュータの主要データ転送パスであるシステムバス８０を介して、情報を他のリソースへ、およびそこから転送する。そのようなシステムバスは、コンピュータシステム９０内の構成要素を接続し、データ交換のための媒体を定義する。システムバス８０は、典型的には、データを送信するためのデータライン、アドレスを送信するためのアドレスライン、ならびに割り込みを送信するため、およびシステムバスを動作するための制御ラインを含む。そのようなシステムバス８０の実施例は、ＰＣＩ（周辺構成要素相互接続）バスである。
【００９６】
システムバス８０に連結されるメモリデバイスは、ランダムアクセスメモリ（ＲＡＭ）８２および読み取り専用メモリ（ＲＯＭ）９３を含む。そのようなメモリは、情報が記憶されて取り出されることを可能にする回路を含む。ＲＯＭ９３は、概して、容易に修正することができない、記憶されたデータを含む。ＲＡＭ８２に記憶されたデータは、ＣＰＵ９１または他のハードウェアデバイスによって読み取られ、または変更され得る。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを分離し、ユーザプロセスからシステムプロセスを分離する、メモリ保護機能を提供し得る。したがって、第１のモードで作動するプログラムは、独自のプロセス仮想アドレス空間によってマップされるメモリのみにアクセスすることができ、プロセス間のメモリ共有が設定されていない限り、別のプロセスの仮想アドレス空間内のメモリにアクセスすることができない。
【００９７】
加えて、コンピュータシステム９０は、ＣＰＵ９１からプリンタ９４、キーボード８４、マウス９５、およびディスクドライブ８５等の周辺機器に命令を伝達する責任がある、周辺機器コントローラ８３を含み得る。
【００９８】
ディスプレイコントローラ９６によって制御されるディスプレイ８６は、コンピュータシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために必要とされる、電子構成要素を含む。
【００９９】
さらに、コンピュータシステム９０は、外部通信ネットワーク１０にコンピュータシステム９０を接続するために使用され得る、ネットワークアダプタ９７を含み得る。
【０１００】
本明細書で説明されるシステム、方法、およびプロセスのうちのいずれかまたは全ては、命令が、コンピュータ、サーバ、ＵＥ等のマシンによって実行されると、本明細書で説明されるシステム、方法、およびプロセスを行うおよび／または実装される、コンピュータ読み取り可能な記憶媒体上に記憶されたコンピュータ実行可能命令（すなわち、プログラムコード）の形態で具現化され得ることが理解される。具体的には、上記で説明されるステップ、動作、または機能のうちのいずれかは、そのようなコンピュータ実行可能命令の形態で実装され得る。コンピュータ読み取り可能な記憶媒体は、情報の記憶のための任意の方法または技術で実装される、揮発性および不揮発性、取り外し可能なおよび非取り外し可能な媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学ディスク記憶装置、磁気カセット、磁気テープ、磁気ディスク記憶装置または他の磁気記憶デバイス、もしくは所望の情報を記憶するために使用することができ、コンピュータによってアクセスすることができる任意の他の物理的媒体を含むが、それらに限定されない。
【０１０１】
図で図示されるような本開示の主題の好ましい実施形態を説明する際に、明確にするために、特定の用語が採用される。しかしながら、請求された主題は、そのように選択された特定の用語に限定されることを目的としておらず、各特定の要素は、類似目的を達成するように同様に動作する、全ての技術的均等物を含むことを理解されたい。
【０１０２】
本明細書は、最良の様態を含む、本発明を開示するために、また、当業者が、任意のデバイスまたはシステムを作製して使用すること、および任意の組み込まれた方法を行うことを含む、本発明を実践することを可能にするために、実施例を使用する。本発明の特許性のある範囲は、請求項によって定義され、当業者に想起される他の実施例を含み得る。そのような他の実施例は、請求項の文字通りの言葉とは異ならない構造要素を有する場合に、または請求項の文字通りの言葉とのごくわずかな差異を伴う同等の構造要素を含む場合に、請求項の範囲内であることを目的としている。
【図１】
0006345789.tif 000007
【図２】
0006345789.tif 000008
【図３】
0006345789.tif 000009
【図４】
0006345789.tif 000010
【図５】
0006345789.tif 000011
【図６】
0006345789.tif 000012
【図７】
0006345789.tif 000013
【図８Ａ】
0006345789.tif 000014
【図８Ｂ】
0006345789.tif 000015
【図８Ｃ】
0006345789.tif 000016